(57)【特許請求の範囲】
【請求項１】
（ａ）色相付与剤と、
（ｂ）クレーと
とを含む粒子であって、前記色相付与剤が、以下の構造：
【化１】
0006013592.tif 000032
（式中：
Ｒ1およびＲ2は、Ｈ；アルキル；アルコキシ；アルキレンオキシ；アルキルでキャップされたアルキレンオキシ；尿素；およびアミドからなる群から独立して選択され；
Ｒ3は、置換アリール基であり；
Ｘは、スルホンアミド部分ならびに任意にアルキルおよび／またはアリール部分を含む置換基であり、前記置換基は、少なくとも４つのアルキレンオキシ部分の平均モル分布を含む少なくとも１つのアルキレンオキシ鎖を含む）
を有し、
前記色相付与剤は前記クレーと接触して粒子を形成している、粒子。
【請求項２】
前記色相付与剤が、以下の構造：
【化２】
0006013592.tif 000033
（式中：
Ｒ1およびＲ2は、Ｈ；アルキル；アルコキシ；アルキレンオキシ；アルキルでキャップされたアルキレンオキシ；尿素；およびアミドからなる群から独立して選択され；
Ｕは、水素、置換または無置換アミノ基であり；
Ｗは、アミノ部分ならびに任意にアルキルおよび／またはアリール部分を含む置換基であり、前記置換基は、少なくとも４つのアルキレンオキシ部分の平均モル分布を含む少なくとも１つのアルキレンオキシ鎖を含み；
Ｙは、水素、またはスルホン酸部分であり；
Ｚは、スルホン酸部分、またはアリール基もしくはアルキル基で置換されたアミノ基である）
を有する、請求項１に記載の粒子。
【請求項３】
Ｒ1がアルコキシ基であり、Ｒ2がアルキル基である、請求項２に記載の粒子。
【請求項４】
Ｒ1が、Ｃ1〜Ｃ10アルコキシであり、Ｒ2が、Ｃ1〜Ｃ10アルキルである、請求項３に記載の粒子。
【請求項５】
アルコキシル化芳香族化合物、グリコール、アルコール、６０℃を超える沸点を有する溶媒、およびこれらの混合物から選択される溶媒を含有する、請求項１に記載の粒子。
【請求項６】
前記溶媒が、アルコキシル化ｍ−トルイジンまたはポリエチレングリコールから選択される、請求項５に記載の粒子。
【請求項７】
前記クレーの少なくとも９５重量％が、５０マイクロメートル〜２０００マイクロメートルの範囲の粒径を有する、請求項１に記載の粒子。
【請求項８】
前記クレーの少なくとも９５重量％が、５０マイクロメートル〜１５００マイクロメートルの範囲の粒径を有する、請求項７に記載の粒子。
【請求項９】
前記クレーの少なくとも９５重量％が、５０マイクロメートル〜１０００マイクロメートルの範囲の粒径を有する、請求項８に記載の粒子。
【請求項１０】
前記クレーの少なくとも９５重量％が、５０マイクロメートル〜５００マイクロメートルの範囲の粒径を有する、請求項９に記載の粒子。
【請求項１１】
前記クレーの少なくとも９５重量％が、５０マイクロメートル〜３００マイクロメートルの範囲の粒径を有する、請求項１０に記載の粒子。
【請求項１２】
前記クレーの少なくとも９５重量％が、５０マイクロメートル〜２００マイクロメートルの範囲の粒径を有する、請求項１１に記載の粒子。
【請求項１３】
前記クレーが、スメクタイトクレーを含む、請求項１に記載の粒子。
【請求項１４】
前記クレーが、モンモリロナイトクレーを含む、請求項１に記載の粒子。
【請求項１５】
前記クレーが、天然モンモリロナイトクレーを含む、請求項１に記載の粒子。
【請求項１６】
前記クレーが、ベントナイトクレーを含む、請求項１に記載の粒子。
【請求項１７】
前記クレーが、天然ベントナイトクレーを含む、請求項１に記載の粒子。
【請求項１８】
（ａ）色相付与剤と、
（ｂ）天然クレーと
を含む粒子であって、前記色相付与剤が、以下の構造：
【化３】
0006013592.tif 000034
（式中：
Ｒ1およびＲ2は、Ｈ；アルキル；アルコキシ；アルキレンオキシ；アルキルでキャップされたアルキレンオキシ；尿素；およびアミドからなる群から独立して選択され；
Ｒ3は、置換アリール基であり；
Ｘは、スルホンアミド部分ならびに任意にアルキルおよび／またはアリール部分を含む置換基であり、前記置換基は、少なくとも４つのアルキレンオキシ部分の平均モル分布を含む少なくとも１つのアルキレンオキシ鎖を含む）
を有し、
前記色相付与剤は前記天然クレーと接触して粒子を形成している、粒子。
【発明の詳細な説明】
【発明の分野】
【０００１】
関連出願の相互参照
本出願は、２０１２年５月９日に出願された、発明の名称が「色相付与剤およびクレーを有する粒子を含む洗濯洗剤組成物（A Laundry Detergent Composition Comprising A Particle Having Hueing Agent and Clay）」である米国仮特許出願第６１／６４４，４８０号に対する優先権を主張する。
【０００２】
本発明は、色相付与（hueing）剤およびクレーを含む粒子を含む洗濯洗剤組成物に関する。この粒子は、洗濯洗剤製品、例えば、洗濯洗剤粉末中に組み込むことができる。この粒子は、粒子からの色相付与染料のブリードが非常に少ない、優れた貯蔵安定性プロファイルを示し、洗濯プロセスにおいて布地のスポットステイニング（spot staining）を生じさせることなく色相付与染料の優れた布地沈着性を示し、洗濯洗剤粉末中に組み込まれる場合に洗濯洗剤粉末の外観に影響を与えない。
【発明の背景】
【０００３】
テキスタイル基材が老化するにつれて、光、空気、汚れ（soil）への曝露、および基材を構成する繊維の自然分解の結果として、基材の色は、退色または黄変する傾向がある。この望ましくない作用を打ち消すために、洗濯洗剤製造業者は、色相付与剤をそれらの製品に組み込んでいる。したがって、色相付与剤の目的は、典型的には、これらのテキスタイル基材の視覚的な明るさを増すこと、ならびにテキスタイル基材の退色および黄変を打ち消すことである。
【０００４】
洗剤製造業者は、色相付与染料をそれらの洗濯洗剤製品、とりわけそれらの洗濯洗剤粉末中に組み込もうと努力し続けている。洗剤製造業者は、組み込みのための容易で費用効果的な手段であるという理由から、洗剤成分のクラッチングおよび噴霧乾燥によって洗剤成分を噴霧乾燥洗濯洗剤の基剤粉末中に組み込むことを好む。しかしながら、色相付与染料がクラッチャに組み込まれる場合、それらの色が噴霧乾燥洗濯洗剤の基剤粉末の色を決定し、これは消費者によって好まれないことがある。このために、洗剤製造業者はそれらの色相付与染料のための別個の粒子を設計するに至った。
【０００５】
これらの粒子は、とりわけ高湿度の条件で良好な貯蔵安定性を示す必要があり、染料は、粒子からブリードして、基剤洗濯粉末の色に影響を与えてはならず、これは、洗剤配合物中に存在してもよい非イオン性洗浄性界面活性剤の存在下で、とりわけその粉末のバルク上に噴霧される場合に、とりわけ重要である。
【０００６】
これらの色相付与染料粒子は、洗濯プロセスにおいて、たとえ冷水であっても、水になお迅速に溶解しなければならず、粒子は、スポットステイニングなどの染料損傷を生じさせることなく布地に染料を迅速に沈着させなければならない。本発明者らは、特定の種類の色相付与染料の独特の組合せが、クレーを追加的に含む粒子に組み込まれる場合、その得られた粒子が、良好な貯蔵安定性プロファイルと良好な布地沈着性の両方を示し、基剤洗剤粉末に混合されるときに基剤洗剤粉末の外観に影響を与えないことを見出した。この粒子は、粒子からの色相付与染料のブリードが非常に少ない、優れた貯蔵安定性プロファイルを示し、洗濯プロセスにおいて布地のスポットステイニングを生じさせることなく色相付与染料の優れた布地沈着性を示し、洗濯洗剤粉末中に組み込まれる場合に洗濯洗剤粉末の外観に影響を与えない。
【発明の概要】
【０００７】
粒子を含む洗濯洗剤組成物であって、粒子が、（ａ）色相付与剤と、（ｂ）クレーと、（ｃ）別の洗剤成分とを含み、前記色素付与剤が、以下の構造：
【化１】
0006013592.tif 000002
【０００８】
（式中：Ｒ1およびＲ2は、Ｈ；アルキル；アルコキシ；アルキレンオキシ；アルキルでキャップされたアルキレンオキシ；尿素；およびアミドからなる群から独立して選択され；Ｒ3は、置換アリール基であり；Ｘは、スルホンアミド部分、ならびに任意にアルキルおよび／またはアリール部分を含む置換基であり、該置換基は、少なくとも４つのアルキレンオキシ部分の平均モル分布を含む少なくとも１つのアルキレンオキシ鎖を含む）
有する、洗濯洗剤組成物。
【０００９】
（ａ）色相付与剤と、（ｂ）クレーとを含む粒子であって、該色相付与剤が、以下の構造：
【化２】
0006013592.tif 000003
【００１０】
（式中：
Ｒ1およびＲ2は、Ｈ；アルキル；アルコキシ；アルキレンオキシ；アルキルでキャップされたアルキレンオキシ；尿素；およびアミドからなる群から独立して選択され；
Ｒ3は、置換アリール基であり；
Ｘは、スルホンアミド部分、ならびに任意にアルキルおよび／またはアリール部分を含む置換基であり、該置換基は、少なくとも４つのアルキレンオキシ部分の平均モル分布を含む少なくとも１つのアルキレンオキシ鎖を含む）
を有する、粒子。
【００１１】
（ａ）色相付与剤と、（ｂ）天然クレーとを含む粒子であって、色相付与剤が、以下の構造：
【化３】
0006013592.tif 000004
【００１２】
（式中：
Ｒ1およびＲ2は、Ｈ；アルキル；アルコキシ；アルキレンオキシ；アルキルでキャップされたアルキレンオキシ；尿素；およびアミドからなる群から独立して選択され；
Ｒ3は、置換アリール基であり；
Ｘは、スルホンアミド部分ならびに任意にアルキルおよび／またはアリール部分を含む置換基であり；該置換基は、少なくとも４つのアルキレンオキシ部分の平均モル分布を含む少なくとも１つのアルキレンオキシ鎖を含む）
を有する、粒子。
【００１３】
（ａ）色相付与剤と、（ｂ）天然ベントナイトクレーとを含む粒子であって、色相付与剤が、以下の構造：
【化４】
0006013592.tif 000005
【００１４】
（式中：
Ｒ1およびＲ2は、Ｈ；アルキル；アルコキシ；アルキレンオキシ；アルキルでキャップされたアルキレンオキシ；尿素；およびアミドからなる群から独立して選択され；
Ｒ3は、置換アリール基であり；
Ｘは、スルホンアミド部分ならびに任意にアルキルおよび／またはアリール部分を含む置換基であり、該置換基は、少なくとも４つのアルキレンオキシ部分の平均モル分布を含む少なくとも１つのアルキレンオキシ鎖を含む）
を有する、粒子。
【発明の詳細な説明】
【００１５】
粒子：粒子は、色相付与剤およびクレーを含む。色相付与染料およびクレーは、以下により詳細に説明される。
【００１６】
粒子は、好ましくは０．０００１重量％〜４重量％の色相付与染料、０．０００１重量％〜２重量％の色相付与染料、０．０００１重量％〜１重量％の色相付与染料、０．０００１重量％〜０．１重量％、またはさらには０．０００１重量％〜０．０１重量％の色相付与染料を含む。粒子は、好ましくは６６％〜９９．９９９重量％のクレー、好ましくは８０重量％からの、またはさらには９０重量％のクレーを含む。粒子は、他の成分、例えば、粒子を調製するプロセスの間に色相付与染料を保持するために使用される溶媒を含んでもよく、すなわち、このような好適な溶媒としては、室温で固体でない任意の可溶性または混和性材料が挙げられ、該溶媒は、室温でその純粋形態で液体またはワックスであってもよい。粒子は、好ましくは３３重量％までの溶媒、好ましくは２０重量％からまで、より好ましくは２０重量％まで、より好ましくは１０％まで、より好ましくは５％まで、またはさらには４重量％までの溶媒を含む。好適な溶媒の一部の例としては、アルコキシル化芳香族化合物（例えば、ｍ−トルイジンのアルコキシレート）、グリコール類（例えば、ポリエチレングリコール）、アルコール類（例えば、エタノール、プロパノール、ヘキサノール、およびブタノール）、６０℃を超える沸点を有する溶媒（例えば、ジプロピルエーテル、エチレングリコールジメチルエーテル、およびトルエン）など、およびこれらの混合物が挙げられる。ｍ−トルイジンのアルコキシル化形態は、以下の基の１個以上でアルコキシル化されていてもよい：エチレンオキシド（ＥＯ）、プロピレンオキシド（ＰＯ）、ブチレンオキシド（ＢＯ）、およびこれらの任意の混合物。ｍ−トルイジンのアルコキシル化部分を形成する基の平均数は、約１〜約２００個、より好ましくは約１〜約１００個、最も好ましくは約１〜約５０個であってもよい。ポリエチレングリコールを形成するエチレンオキシド部分の平均数は、約１〜２００個、好ましくは１〜１００個、またはさらには１〜５０個の範囲であってもよい。粒子は、他の洗剤成分を含んでもよく、好適な洗剤成分は、以下により詳細に説明される。
【００１７】
粒子は、５０マイクロメートル〜２，０００マイクロメートル、好ましくは５０マイクロメートル〜１，５００マイクロメートル、または５０マイクロメートル〜１，０００マイクロメートル、または５０マイクロメートル〜５００マイクロメートル、または５０マイクロメートル〜３００マイクロメートル、または５０〜２００マイクロメートルの重量平均粒径を有していてもよい。
【００１８】
洗濯洗剤組成物：洗濯洗剤組成物は、上により詳細に説明された粒子を含む。本組成物は、任意の形態、例えば、ゲルを含めた液体、錠剤およびパウチ形態を含めた単位用量、ならびに固体粒子状形態を含めた固体形態であり得る。典型的には、本組成物は、完全に配合された洗濯洗剤組成物であり、その一部、例えば、洗濯洗剤組成物の一部だけを形成する噴霧乾燥または集塊粒子ではない。好ましくは、本組成物は、固体形態であり、より好ましくは、本組成物は、固体の自由流動性粒子状形態であり、すなわち、好ましくは、本組成物は、自由流動性洗濯洗剤粒子の形態である。
【００１９】
典型的には、本組成物は、複数の化学的に異なる粒子、例えば、噴霧乾燥ベース洗剤粒子、および／または集塊ベース洗剤粒子、および／または押出ベース洗剤粒子を、界面活性剤粒子、例えば、界面活性剤集塊物、界面活性剤押出物、界面活性剤針状物、界面活性剤麺状物、界面活性剤フレーク；ポリマー粒子、例えば、セルロース系ポリマー粒子、ポリエステル粒子、ポリアミン粒子、テレフタレートポリマー粒子、ポリエチレングリコールポリマー粒子；ビルダー粒子、例えば、炭酸ナトリウムとケイ酸ナトリウムとのコビルダー粒子、リン酸塩粒子、ゼオライト粒子、ケイ酸塩粒子、炭酸塩粒子；賦形剤粒子、例えば、硫酸塩粒子；移染防止剤粒子；染料固着粒子；漂白剤粒子、例えば、過炭酸塩粒子、とりわけ被覆過炭酸塩粒子（例えば、炭酸塩、硫酸塩、ケイ酸塩、ホウケイ酸塩、またはこれらの任意の組合せで被覆された過炭酸塩粒子）、過ホウ酸塩粒子、漂白触媒粒子（例えば、遷移金属漂白触媒粒子またはオキサジリジニウム系漂白剤触媒粒子）、予備形成過酸粒子、とりわけ被覆予備形成過酸粒子、および漂白活性化剤と、過酸化水素の供給源と、任意に漂白触媒との共漂白剤粒子；漂白活性化剤粒子、例えば、オキシベンゼンスルホネート漂白活性化剤粒子およびテトラアセチルエチレンジアミン漂白活性化剤粒子；キレート剤粒子、例えば、キレート剤集塊物；色相付与染料粒子；光沢剤粒子；酵素粒子、例えば、プロテアーゼ小球、リパーゼ小球、セルラーゼ小球、アミラーゼ小球、マンナナーゼ小球、ペクチン酸リアーゼ小球、キシログルカナーゼ小球、漂白酵素小球、クチナーゼ小球、およびこれらの酵素の任意の共小球；クレー粒子、例えば、モンモリロナイト粒子、またはクレーとシリコーンとの粒子；凝集剤粒子、例えば、ポリエチレンオキシド粒子；ワックス粒子、例えば、ワックス集塊物；香料粒子、例えば、香料マイクロカプセル、とりわけメラミンホルムアルデヒド系香料マイクロカプセル、デンプン封入香料アコード粒子、およびシッフ塩基反応生成物粒子などのプロ香料粒子；審美剤（aesthetic）粒子、例えば、着色された麺状または針状または薄板状粒子、および着色ソープリングを含めたソープリング；ならびにこれらの任意の組合せから選択される、１種以上、典型的には２種以上、または３種以上、または４種以上、または５種以上、または６種以上、またはさらには１０種以上の粒子と組み合わせて含む。
【００２０】
洗剤成分：本組成物は、典型的には洗剤成分を含む。好適な洗剤成分としては、洗浄性界面活性剤、例えば、アニオン性洗浄性界面活性剤、非イオン性洗浄性界面活性剤、カチオン性洗浄性界面活性剤、双性イオン洗浄性界面活性剤、両性洗浄性界面活性剤、およびこれらの任意の組合せ；ポリマー、例えば、カルボキシレートポリマー、ポリエチレングリコールポリマー、テレフタレートポリマーなどのポリエステルソイルリリースポリマー、アミンポリマー、セルロース系ポリマー、移染防止ポリマー、任意に１：１４：１の比のイミダゾールとエピクロルヒドリンとの縮合によって生成される縮合オリゴマーなどの染料固定ポリマー、ヘキサメチレンジアミン誘導体ポリマー、およびこれらの任意の組合せ；ビルダー、例えば、ゼオライト、リン酸塩、クエン酸塩、およびこれらの任意の組合せ；緩衝剤およびアルカリ源、例えば、炭酸塩および／またはケイ酸塩；賦形剤、例えば、硫酸塩およびバイオフィラー（bio-filler）材料；漂白剤、例えば、漂白活性化剤、有効酸素の供給源、予備形成過酸、漂白触媒、還元漂白剤、およびこれらの任意の組合せ；キレート剤；光漂白剤；色相付与剤；光沢剤；酵素、例えば、プロテアーゼ、アミラーゼ、セルラーゼ、リパーゼ、キシログカナーゼ、ペクチン酸リアーゼ、マンナナーゼ、漂白酵素、クチナーゼ、およびこれらの任意の組合せ；織物柔軟剤、例えば、クレー、シリコーン、第四級アンモニウム織物柔軟剤、およびこれらの任意の組合せ；凝集剤、例えば、ポリエチレンオキシド；香料、例えば、デンプン封入香料アコード、香料マイクロカプセル、香料負荷ゼオライト、ケトン香料原料とポリアミンとのシッフ塩基反応生成物、ブルーミング香料、およびこれらの任意の組合せ；審美剤、例えば、ソープリング、層状審美剤粒子、ゲルチンビーズ、カルボン酸塩および／または硫酸塩のスペックル、色土、ならびにこれらの任意の組合せ；ならびにこれらの任意の組合せが挙げられる。
【００２１】
色相付与剤。色相付与剤は、以下の構造：
【化５】
0006013592.tif 000006
【００２２】
（式中：Ｒ1およびＲ2は、Ｈ；アルキル、好ましくはＣ1〜Ｃ10アルキル；アルコキシ、好ましくはＣ1〜Ｃ10アルコキシ；アルキレンオキシ；アルキルでキャップされたアルキレンオキシ；尿素；およびアミドからなる群から独立して選択され；Ｒ3は、置換アリール基であり；Ｘは、スルホンアミド部分、ならびに任意にアルキル、好ましくはＣ1〜Ｃ10アルキル、および／またはアリール部分を含む置換基であり、該置換基は、少なくとも４つのアルキレンオキシ部分の平均モル分布を含む少なくとも１つのアルキレンオキシ鎖を含む）
を有する。
【００２３】
好ましくは、色相付与剤は、以下の構造：
【化６】
0006013592.tif 000007
【００２４】
（式中：Ｒ1およびＲ2は、Ｈ；アルキル、好ましくはＣ1〜Ｃ10アルキル；アルコキシ、好ましくはＣ1〜Ｃ10アルコキシ；アルキレンオキシ；アルキルでキャップされたアルキレンオキシ；尿素；およびアミドからなる群から独立して選択され；Ｕは、水素、置換または無置換アミノ基であり；Ｗは、アミノ部分ならびに任意にアルキル、好ましくはＣ1〜Ｃ10アルキル、および／またはアリール部分を含む置換基であり、該置換基は、少なくとも４つのアルキレンオキシ部分の平均モル分布を含む少なくとも１つのアルキレンオキシ鎖を含み；Ｙは、水素、またはスルホン酸部分であり；Ｚは、スルホン酸部分、またはアリール基もしくはアルキル基、好ましくはＣ1〜Ｃ10アルキル基で置換されたアミノ基である）
を有する。
【００２５】
好ましくは、Ｒ1は、アルコキシ基、好ましくはＣ1〜Ｃ10アルコキシであり、Ｒ2は、アルキル基、好ましくはＣ1〜Ｃ10アルキルである。
【００２６】
好適な色相付与剤は、限定されないが、以下の構造：
【化７−１】
0006013592.tif 000008
【化７−２】
0006013592.tif 000009
【化７−３】
0006013592.tif 000010
【化７−４】
0006013592.tif 000011
【化７−５】
0006013592.tif 000012
【化７−６】
0006013592.tif 000013
【化７−７】
0006013592.tif 000014
【化７−８】
0006013592.tif 000015
【００２７】
を含む。
【００２８】
クレー：粒子は、クレー担体および色相付与染料からなる。粒子は、担体の重量によって大部分がなっていてもよい。典型的には、クレー担体は、アロフェンクレー；クロライトクレー（好ましいクレーは、アメサイトクレーである）、ベイレークロアクレー、シャモサイトクレー、クリノクロアクレー、クッカイトクレー、コランドファイトクレー、ダフネ石クレー、デレス石クレー、ゴニヤライトクレー、ニマイトクレー、オディナイトクレー、オルトシャモサイトクレー、パナンタイトクレー、苦土緑泥石クレー、リピドライトクレー、須藤石クレー、およびチュリンゲン石クレー；イライトクレー、混合層（inter-stratified clay）クレー、オキシ水酸化鉄クレー（好ましいオキシ水酸化鉄クレーは、ヘマタイトクレーである）、ゲーサイトクレー（goethite clay）、レピドクライトクレー、およびフェリヒドライトクレー；カオリンクレー（好ましいカオリンクレーは、カオリナイトクレーである）、ハロイサイトクレー、ディッカイトクレー、ナクライトクレー、およびヒシンゲライトクレー；スメクタイトクレー；バーミキュライトクレー；ならびにこれらの混合物からなる群から選択される。クレー担体の他の例としては、セピオライト、アルナイト、ヒドロタルサイト、アタパルガイト、ピメライト、ムスコバイト、ウィレムサイト、ミネソタアイト、アンチゴライト、アメサイト、チャイナクレー、ハロイサイトなど、および上述のクレー担体の任意の組合せが挙げられる。
【００２９】
好ましくは、クレーは、スメクタイトクレーである。好ましいスメクタイトクレーは、バイデライトクレー、ヘクトライトクレー、ラポナイトクレー、モンモリロナイトクレー、ノントナイトクレー、ノントロナイトクレー、サポナイトクレー、およびこれらの混合物である。好ましくは、スメクタイトクレーは、２八面体スメクタイトクレーであってもよい。好ましい２八面体スメクタイトクレーは、モンモリロナイトクレーである。モンモリロナイトクレーは、低電荷モンモリロナイトクレー（ナトリウムモンモリロナイトクレーまたはＷｙｏｍｉｎｇ型モンモリロナイトクレーとしても知られる）であってもよい。典型的には、低電荷モンモリロナイトクレーは、式：
ＮａxＡｌ2-xＭｇxＳｉ4Ｏ10（ＯＨ）2
（式中、ｘは、０．１〜０．５の数、好ましくは０．２から、好ましくは０．４までである）
で表され得る。
【００３０】
モンモリロナイトクレーはまた、高電荷モンモリロナイトクレー（カルシウムモンモリロナイトクレーまたはＣｈｅｔｏ型モンモリロナイトクレーとしても知られる）であってもよい。典型的には、高電荷モンモリロナイトクレーは、式：
ＣａxＡｌ2-xＭｇxＳｉ4Ｏ10（ＯＨ）2
（式中、ｘは、０．１〜０．５の数、好ましくは０．２から、好ましくは０．４までである）
で表され得る。
【００３１】
ベントナイトは、主にスメクタイトクレー鉱物（例えば、モンモリロナイト、ヘクトライト、ノントロナイトなど）からなり、その特性は典型的にはスメクタイトクレー鉱物によって決まる。スメクタイトは、一般に、アルカリ土類金属カチオン（例えば、Ｃａ2+および／またはＭｇ2+）および／またはアルカリ金属カチオン（例えば、Ｎａ+および／またはＫ+）により平衡化されたおよび／または相殺された、負に荷電した層（ここで、それぞれの層は、１つの八面体シートに結合している２つの四面体シートからなり；四面体は、ケイ素および酸素原子により形成され、八面体は、ヒドロキシルラジカルとともにアルミニウムおよび酸素原子により形成されている）の積み重ねからなる。カチオンの２つの種類（アルカリ土類金属およびアルカリ金属）の相対量は典型的には、水中に入れられた場合のクレー材料の膨潤特性を決定する。アルカリ土類金属カチオンＣａ2+が主である（または相対多数である）ベントナイトは、カルシウムベントナイトと呼ばれ；一方、アルカリ金属カチオンＮａ+が主である（または相対多数である）ベントナイトは、ナトリウムベントナイトと呼ばれる。好ましいクレーは、ベントナイトクレーであり、これは主にモンモリロナイトクレーを含む。
【００３２】
クレー材料に関してここで使用される場合の「天然の」という用語は、地中で見出される堆積物（地質学的過程により海盆中の火山灰堆積物の変性によって形成された）中の鉱物の存在を指す。したがって、主に（または相対多数の）Ｎａ+カチオンを含有するベントナイトの天然堆積物は、「天然ナトリウムベントナイト」と称され、一方、Ｃａ2+カチオンを主に含有する（または相対多数のＣａ2+を含有する）ベントナイトの天然堆積物は、「天然カルシウムベントナイト」と称される。
【００３３】
ＮａおよびＣａのベントナイトの合成類似体がまた、（例えば、水熱法を用いることによって）合成されもよい。「合成ナトリウムベントナイト」はまた、限定されないが、（カルシウムイオンを除去し、それをナトリウムイオンと置換するために）炭酸ナトリウムまたはシュウ酸ナトリウムでカルシウムベントナイトを処理することによって得られるベントナイトを指してもよい。この処理は、種々のレベルの、イオン交換、またはＣａ2+に代えてＮａ+の置換を与えるために変えることができる。ここで、これらの材料は、それぞれ、「部分的に活性化された」および「完全に活性化された」グレードのクレー材料と称される（「完全に」は、Ｃａ2+のＮａ+への最大交換を指す）。
【００３４】
カルシウムベントナイトを合成ナトリウムベントナイトに変換する理由の一つは、そうでなければ（相対的に）非膨潤性のカルシウムベントナイトに対して、より大きな膨潤特性を与えることである。天然ナトリウムベントナイトに欠けている、合成ナトリウムベントナイトに伴う審美的効果もある。天然ナトリウムベントナイト（一般に、堆積物が位置する、世界の地域にかかわらず）は、着色している。色は、茶色から黄色ないし灰色に及ぶ。比較すると、天然カルシウムベントナイトは、より審美的に好ましい白色を有する。結果的に、この白色カルシウムベントナイトの処理によって得られる合成ナトリウムベントナイトも白色である。結果として、天然カルシウムベントナイトおよび合成ナトリウムベントナイトは、天然ナトリウムベントナイトと比較して、洗剤産業においてより広範囲の用途が見出される。
【００３５】
出願人の研究により、色相付与剤（天然ナトリウム対天然カルシウムベントナイト；天然ナトリウムベントナイト対合成ナトリウムベントナイト；部分対完全活性化合成ナトリウムベントナイト）が適用されたベントナイトクレーの種類（色土スペックルまたは色土粉末の形態の）に依存した、特定の色相付与剤が布地をステインする性向の差が示された。等しい色負荷で、天然ナトリウムベントナイトは、カルシウムベントナイトよりもステイニングに対してより低い性向を示すことが発見された。等しい色負荷において、合成ナトリウムベントナイトは、カルシウムベントナイトよりも少ないステイニングリスクを示すことも発見された。しかしながら、等しい色負荷において、完全に活性化された合成ナトリウムベントナイトでさえも、天然ナトリウムベントナイトよりも大きなステイニングを示す。色がベントナイトスペックルまたはベントナイト粉末に適用されるかどうかに無関係に、同じことが観察された。
【００３６】
しかしながら、天然ナトリウムベントナイトから作られた粒子の外観は、天然ナトリウムベントナイトの黄色／灰色／茶色の着色のために、改善されることが必要であり得る。天然ナトリウムベントナイトの使用により観察されたステイニングリスクの低下は、天然ナトリウムベントナイトをより白いベントナイト（例えば、カルシウムベントナイトもしくは合成ナトリウムベントナイトまたはこれらの混合物）とブレンドし、それにより、１００％天然Ｎａ−ベントナイトスペックルと比べてより白い外観を有するが、１００％Ｃａおよび合成ナトリウムベントナイトスペックルと比べてより低いステイニングリスクを有するスペックルをもたらすことが可能であり得ることを示す。
【００３７】
一側面において、クレー担体は、例えば、ＡＳＴＭ  Ｄ１９２１−０６（「プラスチック材料の粒径の標準試験法（ふるい分析）（Standard Test Method For Particle Size（Sieve Analysis）of Plastic Materials）」）に従うふるい分け技術によって決定して、特定の範囲の粒径を示す。当業者に知られる代替方法がまた、粒径の決定に用いられてもよい。例えば、他のふるい分け技術が用いられてもよく、または粒径の決定のために知られる電子実験装置が代替として用いられてもよい。
【００３８】
好適なクレー担体の市販の例としては、Ｐｅｌｂｅｎ（登録商標）１０およびＰｅｌｂｅｎ（登録商標）３５（Ｂｕｎｔｅｃｈ、ブラジルの会社から入手可能）が挙げられる。クレー粉末の好適な例としては、Ａｒｇｅｌ（登録商標）１０およびＡｒｇｅｌ（登録商標）４０（Ｂｕｎｔｅｃｈから入手可能）が挙げられる。
【００３９】
好適なクレーとしてはまた、Ａｍｃｏｌ、イリノイ州、米国により供給されるクレー、例えば、商品名Ｑｕｅｓｔ（登録商標）ＢｅｎｔｏｎｉｔｅおよびＰｏｌａｒｇｅｌ（登録商標）シリーズのクレーとして販売されるものが挙げられる。
【００４０】
クレー担体は、クレー担体の少なくとも９５重量％が、５０マイクロメートル〜２，０００マイクロメートル、好ましくは５０マイクロメートル〜１，５００マイクロメートル、または５０マイクロメートル〜１，０００マイクロメートル、または５０マイクロメートル〜５００マイクロメートル、または５０マイクロメートル〜３００マイクロメートル、または５０〜２００の範囲である粒径を有するような粒径を有することによって特徴付けされ得る。さらに好ましくは、クレー担体は、５０マイクロメートル〜２，０００マイクロメートル、好ましくは５０マイクロメートル〜１，５００マイクロメートル、または５０マイクロメートル〜１，０００マイクロメートル、または５０マイクロメートル〜５００マイクロメートル、または５０マイクロメートル〜３００マイクロメートル、または５０〜２００の平均粒子を有することによって特徴付けされ得る。クレーは、クレーの少なくとも９５重量％が、５０マイクロメートル〜４００マイクロメートル、好ましくは５０マイクロメートル〜３００マイクロメートル、またはより好ましくは１００〜２５０マイクロメートル、または５０〜２００マイクロメートルの範囲である粒径を有するような、粒径を有する。
【００４１】
クレーはまた、洗濯プロセスの間に布地柔軟効果を与えることができる。
【００４２】
洗浄性界面活性剤：好適な洗浄性界面活性剤としては、アニオン性洗浄性界面活性剤、非イオン性洗浄性界面活性剤、カチオン性洗浄性界面活性剤、双性イオン洗浄性界面活性剤、両性洗浄性界面活性剤、およびこれらの任意の組合せが挙げられる。
【００４３】
アニオン性洗浄性界面活性剤：好適なアニオン性洗浄性界面活性剤としては、スルフェートおよびスルホネートの洗浄性界面活性剤が挙げられる。
【００４４】
好適なスルホネート洗浄性界面活性剤としては、アルキルベンゼンスルホネート、例えば、Ｃ10〜13アルキルベンゼンスルホネートが挙げられる。好適なアルキルベンゼンスルホネート（ＬＡＳ）は、市販の直鎖状アルキルベンゼン（ＬＡＢ）をスルホン化することによって得ることができるか、またはさらには得られ；好適なＬＡＢとしては、低２−フェニルＬＡＢ、例えば、ＳａｓｏｌよりＩｓｏｃｈｅｍ（登録商標）という商品名で供給されるもの、またはＰｅｔｒｅｓａよりＰｅｔｒｅｌａｂ（登録商標）という商品名で供給されるものが挙げられ、他の好適なＬＡＢとしては、高２−フェニルＬＡＢ、例えば、ＳａｓｏｌによりＨｙｂｌｅｎｅ（登録商標）という商品名で供給されるものが挙げられる。別の好適なアニオン性洗浄性界面活性剤は、ＤＥＴＡＬ触媒プロセスによって得られるアルキルベンゼンスルホネートであるが、他の合成経路、例えば、ＨＦもまた、好適であり得る。
【００４５】
好適なスルフェート洗浄性界面活性剤としては、アルキルスルフェート、例えば、Ｃ8〜Ｃ18アルキルスルフェート、または主にＣ12アルキルスルフェートが挙げられる。アルキルスルフェートは、天然源、例えば、ココおよび／またはタローに由来してもよい。代替として、アルキルスルフェートは、合成源、例えば、Ｃ12〜15アルキルスルフェートに由来してもよい。
【００４６】
別の適切なスルフェート洗浄性界面活性剤は、アルキルアルコキシル化スルフェート、例えば、アルキルエトキシル化スルフェート、または、Ｃ8〜18アルキルアルコキシル化スルフェート、またはＣ8〜18アルキルエトキシル化スルフェートである。アルキルアルコキシル化スルフェートは、０．５〜２０、または０．５〜１０の平均アルコキシル化度を有してもよい。アルキルアルコキシル化スルフェートは、典型的には０．５〜１０、または０．５〜７、または０．５〜５、または０．５〜３の平均エトキシル化度を有する、Ｃ8〜18アルキルエトキシル化スルフェートであってもよい。
【００４７】
アルキルスルフェート、アルキルアルコキシル化スルフェートおよびアルキルベンゼンスルホネートは、直鎖状または分枝、置換または無置換であってもよい。
【００４８】
アニオン性洗浄性界面活性剤は、中鎖分枝アニオン性洗浄性界面活性剤、例えば、中鎖分枝アルキルスルフェートおよび／または中鎖分枝アルキルベンゼンスルホネートであってもよい。中鎖分枝は、典型的には、Ｃ1〜4アルキル基、例えば、メチルおよび／またはエチル基である。
【００４９】
別の適切なアニオン性洗浄性界面活性剤は、アルキルエトキシカルボキシレートである。
【００５０】
アニオン性洗浄性界面活性剤は、典型的にはそれらの塩形態で存在し、典型的には適切なカチオンと錯体化している。好適な対イオンとしては、Ｎａ+およびＫ+、置換アンモニウム、例えば、Ｃ1〜Ｃ6アルカノールアンモニウム、例えば、モノエタノールアミン（ＭＥＡ）、トリエタノールアミン（ＴＥＡ）、ジエタノールアミン（ＤＥＡ）、およびこれらの任意の混合物が挙げられる。
【００５１】
非イオン性洗浄性界面活性剤：好適な非イオン性洗浄性界面活性剤は、Ｃ8〜Ｃ18アルキルエトキシレート、例えば、Ｓｈｅｌｌ製のＮＥＯＤＯＬ（登録商標）非イオン性界面活性剤；任意にアルコキシレート単位が、エチレンオキシ単位、プロピレンオキシ単位、またはこれらの混合物である、Ｃ6〜Ｃ12アルキルフェノールアルコキシレート；エチレンオキシド／プロピレンオキシドブロックポリマーとの、Ｃ12〜Ｃ18アルコールおよびＣ6〜Ｃ12アルキルフェノール縮合物、例えば、ＢＡＳＦ製のＰｌｕｒｏｎｉｃ（登録商標）；Ｃ14〜Ｃ22中鎖分枝アルコール；典型的には１〜３０の平均アルコキシル化度を有する、Ｃ14〜Ｃ22中鎖分枝アルキルアルコキシレート；アルキル多糖類、例えば、アルキルポリグリコシド；ポリヒドロキシ脂肪酸アミド；エーテルでキャップされたポリ（オキシアルキル化）アルコール界面活性剤；ならびにこれらの混合物からなる群から選択される。
【００５２】
好適な非イオン性洗浄性界面活性剤は、アルキルポリグルコシドおよび／またはアルキルアルコキシル化アルコールである。
【００５３】
好適な非イオン性洗浄性界面活性剤としては、アルキルアルコキシル化アルコール、例えば、Ｃ8〜18アルキルアルコキシル化アルコール、またはＣ8〜18アルキルエトキシル化アルコールが挙げられる。アルキルアルコキシル化アルコールは、０．５〜５０、または１〜３０、または１〜２０、または１〜１０の平均アルコキシル化度を有してもよい。アルキルアルコキシル化アルコールは、典型的には１〜１０、または１〜７、または１〜５、または３〜７の平均エトキシル化度を有する、Ｃ8〜18アルキルエトキシル化アルコールであってもよい。アルキルアルコキシル化アルコールは、直鎖状または分枝、および置換または無置換であり得る。
【００５４】
好適な非イオン性洗浄性界面活性剤としては、式：
【化８】
0006013592.tif 000016
【００５５】
（式中：Ｒ1＝直鎖状または分枝、置換または無置換、飽和または不飽和の、Ｃ2〜8アルキル；
Ｒ2＝直鎖状または分枝、置換または無置換、飽和または不飽和の、Ｃ2〜8アルキル、Ｒ1＋Ｒ2部分に存在する炭素原子の総数は、７〜１３個の範囲であり；
ＥＯ／ＰＯは、エトキシ、プロポキシ、またはこれらの混合物から選択されるアルコキシ部分であり、任意にＥＯ／ＰＯアルコキシル部分は、ランダムまたはブロック配置であり；
ｎは、平均アルコキシル化度であり、４〜１０の範囲である）
を有する、第二級アルコール系洗浄性界面活性剤が挙げられる。
【００５６】
他の好適な非イオン性洗浄性界面活性剤としては、ＥＯ／ＰＯブロックコポリマー界面活性剤、例えば、ＢＡＳＦから入手可能なＰｌｕｒａｆａｃ（登録商標）シリーズの界面活性剤、およびアルキルＮ−メチルグルコースアミドなどの糖由来界面活性剤が挙げられる。
【００５７】
カチオン性洗浄性界面活性剤：好適なカチオン性洗浄性界面活性剤としては、アルキルピリジニウム化合物、アルキル第四級アンモニウム化合物、アルキル第四級ホスホニウム化合物、アルキル第三級スルホニウム化合物、およびこれらの混合物が挙げられる。
【００５８】
好適なカチオン性洗浄性界面活性剤は、一般式：
（Ｒ）（Ｒ1）（Ｒ2）（Ｒ3）Ｎ+Ｘ-
（式中、Ｒは、直鎖状または分枝、置換または無置換の、Ｃ6〜18アルキルまたはアルケニル部分であり、Ｒ1およびＲ2はメチルまたはエチル部分から独立して選択され、Ｒ3は、ヒドロキシル、ヒドロキシメチル、またはヒドロキシエチル部分であり、Ｘは、電荷中性を与えるアニオンであり、好適なアニオンとしては、ハライド、例えば、クロリド；スルフェート；およびスルホネートが挙げられる）
を有する第四級アンモニウム化合物である。好適なカチオン性洗浄性界面活性剤は、モノＣ6〜18アルキルモノヒドロキシエチルジメチル第四級アンモニウムクロリドである。好適なカチオン性洗浄性界面活性剤は、モノＣ8〜10アルキルモノヒドロキシエチルジメチル第四級アンモニウムクロリド、モノＣ10〜12アルキルモノヒドロキシエチルジメチル第四級アンモニウムクロリド、およびモノＣ10アルキルモノヒドロキシエチルジメチル第四級アンモニウムクロリドである。
【００５９】
双性イオンおよび／または両性洗浄性界面活性剤：好適な双性イオンおよび／または両性洗浄性界面活性剤としては、ドデシルジメチルアミンＮ−オキシドなどのアミンオキシド、アルカノールアミンスルホベタイン、ココ−アミドプロピルベタイン、ＨＮ+−Ｒ−ＣＯ2-系界面活性剤（式中、Ｒは、任意の架橋基、例えば、アルキル、アルコキシ、アリール、またはアミノ酸であり得る）が挙げられる。
【００６０】
ポリマー：好適なポリマーとしては、カルボキシレートポリマー、ポリエチレングリコールポリマー、テレフタレートポリマーなどのポリエステルソイルリリースポリマー、アミンポリマー、セルロース系ポリマー、移染防止ポリマー、任意に１：４：１の比のイミダゾールとエピクロルヒドリンとの縮合によって生成される縮合オリゴマーなどの染料固定ポリマー、ヘキサメチレンジアミン誘導体ポリマー、およびこれらの任意の組合せが挙げられる。
【００６１】
カルボキシレートポリマー：好適なカルボキシレートポリマーとしては、マレエート／アクリレートランダムコポリマー、またはポリアクリレートホモポリマーが挙げられる。カルボキシレートポリマーは、４，０００Ｄａ〜９，０００Ｄａ、または６，０００Ｄａ〜９，０００Ｄａの分子量を有する、ポリアクリレートホモポリマーであってもよい。他の好適なカルボキシレートポリマーは、マレイン酸とアクリル酸とのコポリマーであり、４，０００Ｄａ〜９，０００Ｄａの範囲の分子量を有してもよい。
【００６２】
他の好適なカルボキシレートポリマーは、（ｉ）カルボキシル基を含む１種以上のモノマー由来の、５０〜９８重量％未満の構造単位；（ｉｉ）スルホネート部分を含む１種以上のモノマー由来の、１〜４９重量％未満の構造単位；および（ｉｉｉ）式（Ｉ）および式（ＩＩ）：
式（Ｉ）：
【化９】
0006013592.tif 000017
【００６３】
（式（Ｉ）中、Ｒ0は、水素原子またはＣＨ3基を表し、Ｒは、ＣＨ2基、ＣＨ2ＣＨ2基、または単結合を表し、Ｘは、０〜５の数を表し、但し、Ｘは、Ｒが単結合である場合、１〜５の数を表すものとし、Ｒ1は、水素原子、またはＣ1〜Ｃ20有機基である）
式（ＩＩ）
【化１０】
0006013592.tif 000018
【００６４】
（式（ＩＩ）中、Ｒ0は、水素原子またはＣＨ3基を表し、Ｒは、ＣＨ2基、ＣＨ2ＣＨ2基、または単結合を表し、Ｘは、０〜５の数を表し、Ｒ1は、水素原子、またはＣ1〜Ｃ20有機基である）
により表されるエーテル結合含有モノマーから選択される１種以上のモノマー由来の、１〜４９重量％の構造単位を含むコポリマーである。
【００６５】
ポリエチレングリコールポリマー：好適なポリエチレングリコールポリマーとしては、（ｉ）ポリエチレングリコールを含む親水性主鎖、および（ｉｉ）Ｃ4〜Ｃ25アルキル基、ポリプロピレン、ポリブチレン、飽和Ｃ1〜Ｃ6モノカルボン酸のビニルエステル、アクリル酸またはメタクリル酸のＣ1〜Ｃ6アルキルエステル、およびこれらの混合物からなる群から選択される疎水性側鎖、を含むランダムグラフトコポリマーが挙げられる。好適なポリエチレングリコールポリマーは、ランダムグラフト化ポリ酢酸ビニル側鎖を有する。ポリエチエレングリコール主鎖の平均分子量は、２，０００Ｄａ〜２０，０００Ｄａ、または４，０００Ｄａ〜８，０００Ｄａの範囲であり得る。ポリエチレングリコール主鎖とポリ酢酸ビニル側鎖との分子量比は、１：１〜１：５、または１：１．２〜１：２の範囲であり得る。エチレンオキシド単位当たりのグラフト部位の平均数は、１未満、または０．８未満であり得、エチレンオキシド単位当たりのグラフト部位の平均数は、０．５〜０．９の範囲であり得るか、またはエチレンオキシド単位当たりのグラフト部位の平均数は、０．１〜０．５、または０．２〜０．４の範囲であり得る。好適なポリエチレングリコールポリマーは、Ｓｏｋａｌａｎ  ＨＰ２２である。
【００６６】
ポリエステルソイルリリースポリマー：好適なポリエステルソイルリリースポリマーは、以下の構造（Ｉ）、構造（ＩＩ）、または構造（ＩＩＩ）：
（Ｉ）−［（ＯＣＨＲ1−ＣＨＲ2）a−Ｏ−ＯＣ−Ａｒ−ＣＯ−］d
（ＩＩ）−［（ＯＣＨＲ3−ＣＨＲ4）b−Ｏ−ＯＣ−ｓＡｒ−ＣＯ−］e
（ＩＩＩ）−［（ＯＣＨＲ5−ＣＨＲ6）c−ＯＲ7］f
（式中：
ａ、ｂ、およびｃは、１〜２００であり；
ｄ、ｅ、およびｆは、１〜５０であり；
Ａｒは、１，４−置換フェニレンであり；
ｓＡｒは、ＳＯ3Ｍｅにより５位で置換された１，３−置換フェニレンであり；
Ｍｅは、Ｈ、Ｎａ、Ｌｉ、Ｋ、Ｍｇ／２、Ｃａ／２、Ａｌ／３、アンモニウム、モノ−、ジ−、トリ−、もしくはテトラアルキルアンモニウム（ここで、アルキル基は、Ｃ1〜Ｃ18アルキルもしくはＣ2〜Ｃ10ヒドロキシアルキル、またはこれらの任意の混合物である）であり；
Ｒ1、Ｒ2、Ｒ3、Ｒ4、Ｒ5、およびＲ6は、Ｈ、またはＣ1〜Ｃ18ｎ−もしくはイソアルキルから独立して選択され；
Ｒ7は、直鎖状もしくは分枝のＣ1〜Ｃ18アルキル、または直鎖状もしくは分枝のＣ2〜Ｃ30アルケニル、または５〜９個の炭素原子を有するシクロアルキル基、またはＣ8〜Ｃ30アリール基、またはＣ6〜Ｃ30アリールアルキル基である）
の１つによって定義されるとおりの構造を有する。好適なポリエステルソイルリリースポリマーは、上記式（Ｉ）または式（ＩＩ）の構造を有する、テレフタレートポリマーである。
【００６７】
好適なポリエステルソイルリリースポリマーとしては、Ｒｅｐｅｌ−ｏ−ｔｅｘシリーズのポリマー、例えば、Ｒｅｐｅｌ−ｏ−ｔｅｘ  ＳＦ２（Ｒｈｏｄｉａ）、および／またはＴｅｘｃａｒｅシリーズのポリマー、例えば、Ｔｅｘｃａｒｅ  ＳＲＡ３００（Ｃｌａｒｉａｎｔ）が挙げられる。
【００６８】
アミンポリマー：好適なアミンポリマーとしては、ポリエチレンイミンポリマー、例えば、ポリエチレンおよび／またはポリプロピレンオキシドブロックを任意に含む、アルコキシル化ポリアルキレンイミンが挙げられる。
【００６９】
セルロース系ポリマー：本組成物は、セルロース系ポリマー、例えば、アルキルセルロース、アルキルアルコキシアルキルセルロース、カルボキシアルキルセルロース、アルキルカルボキシアルキル、およびこれらの任意の組合せから選択されるポリマーを含み得る。好適なセルロース系ポリマーは、カルボキシメチルセルロース、メチルセルロース、メチルヒドロキシエチルセルロース、メチルカルボキシメチルセルロース、およびこれらの混合物から選択される。カルボキシメチルセルロースは、０．５〜０．９のカルボキシメチル置換度、および１００，０００Ｄａ〜３００，０００Ｄａの分子量を有し得る。別の好適なセルロース系ポリマーは、疎水変性カルボキシメチルセルロース、例えば、Ｆｉｎｎｆｉｘ  ＳＨ−１（ＣＰ  Ｋｅｌｃｏ）である。
【００７０】
他の好適なセルロース系ポリマーは、０．０１〜０．９９の置換度（ＤＳ）、およびＤＳ＋ＤＢが少なくとも１．００であるか、またはＤＢ＋２ＤＳ−ＤＳ2が少なくとも１．２０であるかのいずれかであるような、ブロック度（ＤＢ）を有してもよい。置換セルロース系ポリマーは、少なくとも０．５５の置換度（ＤＳ）を有し得る。置換セルロース系ポリマーは、少なくとも０．３５のブロック度（ＤＢ）を有し得る。置換セルロース系ポリマーは、１．０５〜２．００の、ＤＳ＋ＤＢを有し得る。好適な置換セルロース系ポリマーは、カルボキシメチルセルロースである。
【００７１】
別の好適なセルロース系ポリマーは、カチオン変性ヒドロキシエチルセルロースである。
【００７２】
移染防止ポリマー：好適な移染防止（ＤＴＩ）ポリマーとしては、ポリビニルピロリドン（ＰＶＰ）、ピロリドンとイミダゾリンとのビニルコポリマー（ＰＶＰＶＩ）、ポリビニルＮ−オキシド（ＰＶＮＯ）、およびこれらの任意の混合物が挙げられる。
【００７３】
ヘキサメチレンジアミン誘導体ポリマー：好適なポリマーとしては、典型的には式：
Ｒ2（ＣＨ3）Ｎ+（ＣＨ2）６Ｎ+（ＣＨ3）Ｒ2．２Ｘ-
（式中、Ｘ-は、好適な対イオン、例えば、クロリドであり、Ｒは、２０〜３０の平均エトキシル化度を有するポリ（エチレングリコール）鎖である）
を有する、ヘキサメチレンジアミン誘導体ポリマーが挙げられる。任意に、ポリ（エチレングリコール）鎖は、スルフェートおよび／またはスルホネート基で独立してキャップされ、典型的には、電荷は、Ｘ-対イオンの数の減少、または（分子当たりの平均硫酸化度が２よりも大きい場合、）Ｙ+対イオン、例えば、ナトリウムカチオンの導入によって、平衡化される。
【００７４】
ビルダー：好適なビルダーとしては、ゼオライト、リン酸塩、クエン酸塩、およびこれらの任意の組合せが挙げられる。
【００７５】
ゼオライトビルダー：本組成物は、ゼオライトビルダーを実質的に含まなくてもよい。ゼオライトビルダーを実質的に含まないとは、典型的には０重量％〜１０重量％までのゼオライトビルダー、または８重量％まで、または６重量％まで、または４重量％まで、または３重量％まで、または２重量％まで、またはさらには１重量％までのゼオライトビルダーを含むことを意味する。ゼオライトビルダーを実質的に含まないとは、好ましくは「意図的に添加されない」ゼオライトビルダーを意味する。典型的なゼオライトビルダーとしては、ゼオライトＡ、ゼオライトＰ、ゼオライトＭＡＰ、ゼオライトＸ、およびゼオライトＹが挙げられる。
【００７６】
リン酸塩ビルダー：本組成物は、リン酸塩ビルダーを実質的に含まなくてもよい。リン酸塩ビルダーを実質的に含まないとは、典型的には０重量％〜１０重量％のリン酸塩ビルダー、または８重量％まで、または６重量％まで、または４重量％まで、または３重量％まで、または２重量％まで、またはさらには１重量％までのリン酸塩ビルダーを含むことを意味する。リン酸塩ビルダーを実質的に含まないとは、好ましくは「意図的に添加されない」リン酸塩ビルダーを意味する。典型的なリン酸塩ビルダーは、トリ−ポリリン酸ナトリウム（ＳＴＰＰ）である。
【００７７】
クエン酸塩：好適なクエン酸塩は、クエン酸ナトリウムである。しかしながら、クエン酸も、本組成物中に組み込まれてもよく、これは、洗浄液（wash liquor）中でクエン酸塩を形成し得る。
【００７８】
緩衝剤およびアルカリ源：好適な緩衝剤およびアルカリ源としては、炭酸塩および／またはケイ酸塩、および／またはバーカイトなどの複塩が挙げられる。
【００７９】
炭酸塩：好適な炭酸塩は、炭酸ナトリウムおよび／または重炭酸ナトリウムである。本組成物は、重炭酸塩を含んでもよい。本組成物が低レベルの炭酸塩を含むことが好適であり得、例えば、本組成物が、０重量％〜１０重量％までの炭酸塩、または８重量％まで、または６重量％まで、または４重量％まで、または３重量％まで、または２重量％まで、またはさらには１重量％までの炭酸塩を含むことが好適であり得る。本組成物は、さらには炭酸塩を実質的に含まなくてもよく；実質的に含まないとは、「意図的に添加されない」ことを意味する。
【００８０】
炭酸塩は、１００〜５００マイクロメートルの重量平均平均粒径を有してもよい。代替として、炭酸塩は、１０〜２５マイクロメートルの重量平均平均粒径を有してもよい。
【００８１】
ケイ酸塩：本組成物は、０重量％〜２０重量％までのケイ酸塩、または１５重量％まで、または１０重量％まで、または５重量％まで、または４重量％まで、またはさらには２重量％までを含んでもよく、および０重量％超〜、または０．５重量％〜、またはさらには１重量％〜のケイ酸塩を含んでもよい。ケイ酸塩は、結晶性または非晶性であり得る。好適な結晶性ケイ酸塩としては、結晶性層状ケイ酸塩、例えば、ＳＫＳ−６が挙げられる。他の好適なケイ酸塩としては、１．６Ｒケイ酸塩および／または２．０Ｒケイ酸塩が挙げられる。好適なケイ酸塩は、ケイ酸ナトリウムである。別の好適なケイ酸塩は、メタケイ酸ナトリウムである。
【００８２】
賦形剤：本組成物は、０重量％〜７０重量％の賦形剤を含んでもよい。好適な賦形剤としては、硫酸塩および／またはバイオフィラー材料が挙げられる。
【００８３】
硫酸塩：好適な硫酸塩は、硫酸ナトリウムである。硫酸塩は、１００〜５００マイクロメートルの重量平均平均粒径を有してもよく、代替として、硫酸塩は、１０〜４５マイクロメートルの重量平均平均粒径を有してもよい。
【００８４】
バイオフィラー材料：好適なバイオフィラー材料は、アルカリおよび／または漂白処理された農業廃棄物である。
【００８５】
漂白剤：本組成物は、漂白剤を含んでもよい。代替として、本組成物は、漂白剤を実質的に含まなくてもよく；実質的に含まないとは、「意図的に添加されない」ことを意味する。好適な漂白剤としては、漂白活性化剤、有効酸素の供給源、予備形成過酸、漂白触媒、還元漂白剤、およびこれらの任意の組合せが挙げられる。存在する場合、漂白剤、またはその任意の成分、例えば、予備形成された過酸は、例えば、尿素またはシクロデキストリンによって、被覆、例えば、封入、またはクラスレート化されてもよい。
【００８６】
漂白活性化剤：好適な漂白活性化剤としては、テトラアセチルエチレンジアミン（ＴＡＥＤ）；オキシベンゼンスルホネート、例えば、ノナノイルオキシベンゼンスルホネート（ＮＯＢＳ）、カプリルアミドノナノイルオキシベンゼンスルホネート（ＮＡＣＡ−ＯＢＳ）、３，５，５−トリメチルヘキサノイルオキシベンゼンスルホネート（Ｉｓｏ−ＮＯＢＳ）、ドデシルオキシベンゼンスルホネート（ＬＯＢＳ）、およびこれらの任意の混合物；カプロラクタム；ペンタアセテートグルコース（ＰＡＧ）；ニトリル第四級アンモニウム；イミド漂白活性化剤、例えば、Ｎ−ノナノイル−Ｎ−メチルアセトアミド；ならびにこれらの任意の混合物が挙げられる。
【００８７】
有効酸素の供給源：好適な有効酸素（ＡｖＯｘ）の供給源は、過酸化水素の供給源、例えば、過炭酸塩および／または過ホウ酸塩、例えば、過炭酸ナトリウムである。過酸素の供給源は、コーティング成分、例えば、炭酸塩、硫酸塩、ケイ酸塩、ホウケイ酸塩、またはこれらの混合塩を含めた、これらの任意の混合物によって、少なくとも部分的に被覆されていていても、またはさらには完全に被覆されていてもよい。好適な過炭酸塩は、流動床プロセスによって、または結晶化プロセスによって調製され得る。好適な過ホウ酸塩としては、過ホウ酸ナトリウム一水和物（ＰＢ１）、過ホウ酸ナトリウム四水和物（ＰＢ４）、および発泡性過ホウ酸ナトリウムとしても知られている無水過ホウ酸ナトリウムが挙げられる。他の好適なＡｖＯｘの供給源としては、過硫酸塩、例えば、オキソンが挙げられる。別の好適なＡｖＯｘの供給源は、過酸化水素である。
【００８８】
予備形成過酸：好適な予備形成過酸は、Ｎ，Ｎ−プタロイルアミノ（pthaloylamino）ペルオキシカプロン酸（ＰＡＰ）である。
【００８９】
漂白触媒：好適な漂白触媒としては、オキサジリジニウム系漂白触媒、遷移金属漂白触媒、および漂白酵素が挙げられる。
【００９０】
オキサジリジニウム系漂白触媒：好適なオキサジリジニウム系漂白触媒は、式：
【化１１】
0006013592.tif 000019
【００９１】
（式中：Ｒ1は、Ｈ、３〜２４個の炭素を含む分枝アルキル基、および１〜２４個の炭素を含む直鎖状アルキル基からなる群から選択され；Ｒ1は、６〜１８個の炭素を含む分枝アルキル基、または５〜１８個の炭素を含む直鎖状アルキル基であり得、Ｒ1は、２−プロピルヘプチル、２−ブチルオクチル、２−ペンチルノニル、２−ヘキシルデシル、ｎ−ヘキシル、ｎ−オクチル、ｎ−デシル、ｎ−ドデシル、ｎ−テトラデシル、ｎ−ヘキサデシル、ｎ−オクタデシル、イソノニル、イソデシル、イソトリデシルおよびイソペンタデシルからなる群から選択され得；Ｒ2は、Ｈ、３〜１２個の炭素を含む分枝アルキル基、１〜１２個の炭素を含む直鎖状アルキル基からなる群から独立して選択され；任意に、Ｒ2は、Ｈおよびメチル基から独立して選択され；ｎは、０〜１の整数である）
を有する。
【００９２】
遷移金属漂白触媒：本組成物は、典型的には銅、鉄、チタン、ルテニウム、タングステン、モリブデン、および／またはマンガンのカチオンを含む、遷移金属漂白触媒を含んでもよい。好適な遷移金属漂白触媒は、マンガン系遷移金属漂白触媒である。
【００９３】
還元漂白剤：本組成物は、還元漂白剤を含んでもよい。しかしながら、本組成物は、還元漂白剤を実質的に含まなくてもよく；実質的に含まないとは、「意図的に添加されない」ことを意味する。好適な還元漂白剤としては、亜硫酸ナトリウムおよび／または二酸化チオ尿素（ＴＤＯ）が挙げられる。
【００９４】
共漂白剤粒子：本組成物は、共漂白剤粒子を含んでもよい。典型的には、共漂白剤粒子は、漂白活性化剤、および過酸物の供給源を含む。過酸化水素の供給源に対して大量の漂白活性化剤が、共漂白粒子中に存在することが非常に好適であり得る。共漂白剤粒子中に存在する、漂白活性化剤対過酸化水素の供給源の重量比は、少なくとも０．３：１、または少なくとも０．６：１、または少なくとも０．７：１、または少なくとも０．８：１、または少なくとも０．９：１、または少なくとも１．０：１．０、またはさらには少なくとも１．２：１以上であり得る。
【００９５】
共漂白剤粒子は、（ｉ）漂白活性化剤、例えば、ＴＡＥＤ；および（ｉｉ）過酸化水素の供給源、例えば、過炭酸ナトリウムを含み得る。漂白活性化剤は、過酸化水素の供給源を、少なくとも部分的に、またはさらには完全に包接してもよい。
【００９６】
共漂白剤粒子は、結合剤を含んでもよい。好適な結合剤は、カルボキシレートポリマー、例えば、ポリアクリレートポリマー、ならびに／あるいは非イオン性洗浄性界面活性剤および／またはアニオン性洗浄性界面活性剤を含めた、界面活性剤、例えば、直鎖状Ｃ11〜Ｃ13アルキルベンゼンスルホネートである。
【００９７】
共漂白剤粒子は、漂白触媒、例えば、オキサジリジウム系漂白触媒を含んでもよい。
【００９８】
キレート剤：好適なキレート剤は、ジエチレントリアミンペンタアセテート、ジエチレントリアミンペンタ（メチルホスホン酸）、エチレンジアミン−Ｎ’Ｎ’−二コハク酸、エチレンジアミンテトラアセテート、エチレンジアミンテトラ（メチレンホスホン酸）、ヒドロキシエタンジ（メチレンホスホン酸）、およびこれらの任意の組合せから選択される。好適なキレート剤は、エチレンジアミン−Ｎ’Ｎ’−二コハク酸（ＥＤＤＳ）および／またはヒドロキシエタンジホスホン酸（ＨＥＤＰ）である。本洗濯洗剤組成物は、エチレンジアミン−Ｎ’Ｎ’−二コハク酸またはその塩を含んでもよい。エチレンジアミン−Ｎ’Ｎ’−二コハク酸は、Ｓ，Ｓエナンチオマー形態であってもよい。本組成物は、４，５−ジヒドロキシ−ｍ−ベンゼンジスルホン酸二ナトリウム塩を含んでもよい。好適なキレート剤はまた、カルシウム結晶成長抑制剤であってもよい。
【００９９】
炭酸カルシウム結晶成長抑制剤：本組成物は、炭酸カルシウム結晶成長抑制剤、例えば、１−ヒドロキシエタンジホスホン酸（ＨＥＤＰ）およびその塩；Ｎ，Ｎ−ジカルボキシメチル−２−アミノペンタン−１，５−二酸およびその塩；２−ホスホノブタン−１，２，４−トリカルボン酸およびその塩；ならびにこれらの任意の組合せからなる群から選択されるものを含んでもよい。
【０１００】
光漂白剤：好適な光漂白剤は、スルホン化フタロシアニン亜鉛および／またはアルミニウムである。
【０１０１】
色相付与剤：本発明によって必要とされる色相付与染料に加えて、他の色相付与剤がまた、上により詳細に記載された色相付与染料と組み合わせて用いられて、洗浄液から布地上に沈着し、その結果、例えば、衣服上で２００°〜３２０°の相対色相角を生成して、布地の白色知覚を改善してもよい。色相付与剤は、典型的には青色または紫色である。色相付与染料は、５５０ｎｍ〜６５０ｎｍ、または５７０ｎｍ〜６３０ｎｍのピーク吸収波長を有することが適切であり得る。色相付与剤は、５５０ｎｍ〜６５０ｎｍ、または５７０ｎｍ〜６３０ｎｍの、ポリエステル上のピーク吸収波長を有する単一染料として、ヒトの目に視覚効果をともに有する染料の組合せであってもよい。これは、例えば、赤色と緑−青色染料とを混合して、青色または紫色の色調を生じさせることによって提供されてもよい。
【０１０２】
染料は、典型的には界面活性剤を含有する水性媒体に可溶性である着色有機分子である。染料は、塩基性、酸性、疎水性、ダイレクトおよびポリマー性の染料、ならびに染料−共役体のクラスから選択されてもよい。好適なポリマー色相付与染料は、例えば、Ｍｉｌｌｉｋｅｎ、Ｓｐａｒｔａｎｂｕｒｇ、Ｓｏｕｔｈ  Ｃａｒｏｌｉｎａ、米国から市販されている。
【０１０３】
好適な染料の例は、ダイレクトバイオレット７、ダイレクトバイオレット９、ダイレクトバイオレット１１、ダイレクトバイオレット２６、ダイレクトバイオレット３１、ダイレクトバイオレット３５、ダイレクトバイオレット４０、ダイレクトバイオレット４１、ダイレクトバイオレット５１、ダイレクトバイオレット６６、ダイレクトバイオレット９９、アシッドバイオレット５０、アシッドブルー９、アシッドバイオレット１７、アシッドブラック１、アシッドレッド１７、アシッドブルー２９、アシッドブルー８０、ソルベントバイオレット１３、ディスパースバイオレット２７、ディスパースバイオレット２６、ディスパースバイオレット２８、ディスパースバイオレット６３およびディスパースバイオレット７７、ベーシックブルー１６、ベーシックブルー６５、ベーシックブルー６６、ベーシックブルー６７、ベーシックブルー７１、ベーシックブルー１５９、ベーシックバイオレット１９、ベーシックバイオレット３５、ベーシックバイオレット３８、ベーシックバイオレット４８；ベーシックブルー３、ベーシックブルー７５、ベーシックブルー９５、ベーシックブルー１２２、ベーシックブルー１２４、ベーシックブルー１４１、チアゾリウム染料、リアクティブブルー１９、リアクティブブルー１６３、リアクティブブルー１８２、リアクティブブルー９６、Ｌｉｑｕｉｔｉｎｔ（登録商標）Ｖｉｏｌｅｔ  ＣＴ（Ｍｉｌｌｉｋｅｎ、Ｓｐａｒｔａｎｂｕｒｇ、米国）、Ｌｉｑｕｉｔｉｎｔ（登録商標）Ｖｉｏｌｅｔ  ＤＤ（Ｍｉｌｌｉｋｅｎ、Ｓｐａｒｔａｎｂｕｒｇ、米国）、ならびにＡｚｏ−ＣＭ−Ｃｅｌｌｕｌｏｓｅ（Ｍｅｇａｚｙｍｅ、Ｂｒａｙ、アイルランド共和国）である。他の好適な色相付与剤は、色相付与染料−光漂白剤共役体、例えば、参考文献ＷＯ０９／０６９０７７に記載されたものである。特に好適な色相付与剤は、アシッドレッド５２とアシッドブルー８０との組合せ、またはダイレクトバイオレット９とソルベントバイオレット１３との組合せである。
【０１０４】
光沢剤：好適な光沢剤は、スチルベン、例えば、Ｃ．Ｉ．Ｆｌｕｏｒｅｓｃｅｎｔ  Ｂｒｉｇｈｔｅｎｅｒ３５１、またはＣ．Ｉ．Ｆｌｕｏｒｅｓｃｅｎｔ  Ｂｒｉｇｈｔｅｎｅｒ２６０である。光沢剤は、３〜３０マイクロメートル、または３マイクロメートル〜２０マイクロメートル、または３〜１０マイクロメートルの範囲の重量平均粒径を有する、微粉化粒子状形態であってもよい。光沢剤は、アルファまたはベータ結晶形態であり得る。
【０１０５】
酵素：好適な酵素としては、プロテアーゼ、アミラーゼ、セルラーゼ、リパーゼ、キシログカナーゼ（xylogucanase）、ペクチン酸リアーゼ、マンナナーゼ、漂白酵素、クチナーゼ、およびこれらの混合物が挙げられる。
【０１０６】
酵素について、括弧内に示される受入番号およびＩＤは、Ｇｅｎｂａｎｋ、ＥＭＢＬ、および／またはＳｗｉｓｓ−Ｐｒｏｔのデータベース内のエントリー番号を指す。任意の突然変異体（mutation）について、標準の１文字アミノ酸コードが、欠失を表す*とともに使用される。ＤＳＭが前に付く受入番号は、Ｄｅｕｔｓｃｈｅ  Ｓａｍｍｌｕｎｇ  ｖｏｎ  Ｍｉｋｒｏｏｒｇａｎｉｓｍｅｎ  ｕｎｄ  Ｚｅｌｌｋｕｌｔｕｒｅｎ  ＧｍｂＨ、Ｍａｓｃｈｅｒｏｄｅｒ  Ｗｅｇ  １ｂ、３８１２４Ｂｒｕｎｓｗｉｃｋ（ＤＳＭＺ）に寄託された微生物を指す。
【０１０７】
プロテアーゼ。本組成物は、プロテアーゼを含んでもよい。好適なプロテアーゼとしては、中性またはアルカリ性の微生物セリンプロテアーゼを含めた、メタロプロテアーゼおよび／またはセリンプロテアーゼ、例えば、サブチリシン（ＥＣ３．４．２１．６２）が挙げられる。好適なプロテアーゼとしては、動物、植物、または微生物起源のものが挙げられる。一側面において、このような好適なプロテアーゼは、微生物起源のものであってもよい。好適なプロテアーゼとしては、上述の好適なプロテアーゼの化学修飾または遺伝子組み換えされたミュータント（mutant）が挙げられる。一側面において、好適なプロテアーゼは、セリンプロテアーゼ、例えば、アルカリ性微生物プロテアーゼまたは／およびトリプシン型プロテアーゼであってもよい。好適な中性またはアルカリ性プロテアーゼの例としては、以下が挙げられる：
（ａ）サブチリシン（ＥＣ３．４．２１．６２）、例えば、バチルス、例えば、バチルス・レンタス（Bacillus lentus）、バチルス・アルカロフィルス（Bacillus alkalophilus）（Ｐ２７９６３、ＥＬＹＡ＿ＢＡＣＡＯ）、バチルス・サブチリス（Bacillus subtilis）、バチルス・アミロリケファシエンス（Bacillus amyloliquefaciens）（Ｐ００７８２、ＳＵＢＴ＿ＢＡＣＡＭ）、バチルス・プミルス（Bacillus pumilus）（Ｐ０７５１８）、およびバチルス・ギブソニィ（Bacillus gibsonii）（ＤＳＭ１４３９１）に由来するもの。
【０１０８】
（ｂ）トリプシン型またはキモトリプシン型プロテアーゼ、例えば、トリプシン（例えば、ブタまたはウシ由来）、例えば、フサリウムプロテアーゼ、およびセルモナス（Cellumonas）（Ａ２ＲＱＥ２）に由来するキモトリプシンプロテアーゼ。
【０１０９】
（ｃ）メタロプロテアーゼ、例えば、バチルス・アミロリケファシエンス（Ｐ０６８３２、ＮＰＲＥ＿ＢＡＣＡＭ）に由来するもの。
【０１１０】
好適なプロテアーゼとしては、バチルス・ギブソニィまたはバチルス・レンタスに由来するもの、例えば、サブチリシン３０９（Ｐ２９６００）および／またはＤＳＭ５４８３（Ｐ２９５９９）が挙げられる。
【０１１１】
好適な市販のプロテアーゼ酵素としては、Ｎｏｖｏｚｙｍｅｓ  Ａ／Ｓ（デンマーク国）によりＡｌｃａｌａｓｅ（登録商標）、Ｓａｖｉｎａｓｅ（登録商標）、Ｐｒｉｍａｓｅ（登録商標）、Ｄｕｒａｚｙｍ（登録商標）、Ｐｏｌａｒｚｙｍｅ（登録商標）、Ｋａｎｎａｓｅ（登録商標）、Ｌｉｑｕａｎａｓｅ（登録商標）、Ｌｉｑｕａｎａｓｅ  Ｕｌｔｒａ（登録商標）、Ｓａｖｉｎａｓｅ  Ｕｌｔｒａ（登録商標）、Ｏｖｏｚｙｍｅ（登録商標）、Ｎｅｕｔｒａｓｅ（登録商標）、Ｅｖｅｒｌａｓｅ（登録商標）、およびＥｓｐｅｒａｓｅ（登録商標）の商品名で販売されるもの；Ｇｅｎｅｎｃｏｒ  ＩｎｔｅｒｎａｔｉｏｎａｌよりＭａｘａｔａｓｅ（登録商標）、Ｍａｘａｃａｌ（登録商標）、Ｍａｘａｐｅｍ（登録商標）、Ｐｒｏｐｅｒａｓｅ（登録商標）、Ｐｕｒａｆｅｃｔ（登録商標）、Ｐｕｒａｆｅｃｔ  Ｐｒｉｍｅ（登録商標）、Ｐｕｒａｆｅｃｔ  Ｏｘ（登録商標）、ＦＮ３（登録商標）、ＦＮ４（登録商標）、Ｅｘｃｅｌｌａｓｅ（登録商標）、およびＰｕｒａｆｅｃｔ  ＯＸＰ（登録商標）の商品名で販売されるもの；Ｓｏｌｖａｙ  ＥｎｚｙｍｅｓよりＯｐｔｉｃｌｅａｎ（登録商標）およびＯｐｔｉｍａｓｅ（登録商標）の商品名で販売されるもの；Ｈｅｎｋｅｌ／Ｋｅｍｉｒａから入手可能なもの、すなわち、すべてＨｅｎｋｅｌ／Ｋｅｍｉｒａからの、ＢＬＡＰ（以下の突然変異体Ｓ９９Ｄ＋Ｓ１０１Ｒ＋Ｓ１０３Ａ＋Ｖ１０４Ｉ＋Ｇ１５９Ｓを有するＰ２９５９９）、ならびにＢＬＡＰ  Ｒ（Ｓ３Ｔ＋Ｖ４Ｉ＋Ｖ１９９Ｍ＋Ｖ２０５Ｉ＋Ｌ２１７Ｄを有するＢＬＡＰ）、ＢＬＡＰ  Ｘ（Ｓ３Ｔ＋Ｖ４Ｉ＋Ｖ２０５Ｉを有するＢＬＡＰ）およびＢＬＡＰ  Ｆ４９（Ｓ３Ｔ＋Ｖ４Ｉ＋Ａ１９４Ｐ＋Ｖ１９９Ｍ＋Ｖ２０５Ｉ＋Ｌ２１７Ｄを有するＢＬＡＰ）を含めた、そのバリアント；ならびにＫａｏからのＫＡＰ（突然変異体Ａ２３０Ｖ＋Ｓ２５６Ｇ＋Ｓ２５９Ｎを有する、バチルス・アルカロフィルスサブチリシン）が挙げられる。
【０１１２】
アミラーゼ：好適なアミラーゼは、細菌または真菌由来のものを含めた、アルファ−アミラーゼである。化学修飾または遺伝子組み換えされた、ミュータント（バリアント）も含まれる。好適なアルカリ性アルファ−アミラーゼは、バチルスの菌株、例えば、バチルス・リケニフォルミス（Bacillus licheniformis）、バチルス・アミロリケファシエンス、バチルス・ステアロサーモフィルス（Bacillus stearothermophilus）、バチルス・サブチリス、または他のバチルス種、例えば、バチルス種ＮＣＩＢ１２２８９、ＮＣＩＢ１２５１２、ＮＣＩＢ１２５１３、ｓｐ７０７、ＤＳＭ９３７５、ＤＳＭ１２３６８、ＤＳＭＺｎｏ．１２６４９、ＫＳＭ  ＡＰ１３７８、ＫＳＭ  Ｋ３６、もしくはＫＳＭ  Ｋ３８に由来する。好適なアミラーゼとしては、以下が挙げられる：
（ａ）バチルス・リケニフォルミス（Ｐ０６２７８、ＡＭＹ＿ＢＡＣＬＩ）に由来するアルファ−アミラーゼ、およびそのバリアント、とりわけ以下の位置：１５、２３、１０５、１０６、１２４、１２８、１３３、１５４、１５６、１８１、１８８、１９０、１９７、２０２、２０８、２０９、２４３、２６４、３０４、３０５、３９１、４０８、および４４４の１つ以上で置換を有するバリアント。
【０１１３】
（ｂ）ＡＡ５６０アミラーゼ（ＣＢＵ３０４５７、ＨＤ０６６５３４）、およびそのバリアント、とりわけ以下の位置：２６、３０、３３、８２、３７、１０６、１１８、１２８、１３３、１４９、１５０、１６０、１７８、１８２、１８６、１９３、２０３、２１４、２３１、２５６、２５７、２５８、２６９、２７０、２７２、２８３、２９５、２９６、２９８、２９９、３０３、３０４、３０５、３１１、３１４、３１５、３１８、３１９、３３９、３４５、３６１、３７８、３８３、４１９、４２１、４３７、４４１、４４４、４４５、４４６、４４７、４５０、４６１、４７１、４８２、４８４で１つ以上の置換を有し、任意にＤ１８３*およびＧ１８４*の欠失も含む、バリアント。
【０１１４】
（ｃ）Ｂａｃｉｌｌｕｓ  ＳＰ７２２（ＣＢＵ３０４５３、ＨＤ０６６５２６）由来の野生型酵素と、少なくとも９０％の同一性を示すバリアント、とりわけ、１８３および１８４の位置で欠失を有するバリアント。
【０１１５】
好適な市販のアルファ−アミラーゼは、Ｄｕｒａｍｙｌ（登録商標）、Ｌｉｑｕｅｚｙｍｅ（登録商標）、Ｔｅｒｍａｍｙｌ（登録商標）、Ｔｅｒｍａｍｙｌ  Ｕｌｔｒａ（登録商標）、Ｎａｔａｌａｓｅ（登録商標）、Ｓｕｐｒａｍｙｌ（登録商標）、Ｓｔａｉｎｚｙｍｅ（登録商標）、Ｓｔａｉｎｚｙｍｅ  Ｐｌｕｓ（登録商標）、Ｆｕｎｇａｍｙｌ（登録商標）およびＢＡＮ（登録商標）（Ｎｏｖｏｚｙｍｅｓ  Ａ／Ｓ）、Ｂｉｏａｍｙｌａｓｅ（登録商標）およびそのバリアント（Ｂｉｏｃｏｎ  Ｉｎｄｉａ  Ｌｔｄ．）、Ｋｅｍｚｙｍ（登録商標）ＡＴ９０００（Ｂｉｏｚｙｍ  Ｇｅｓ．  ｍ．ｂ．Ｈ、オーストリア国）、Ｒａｐｉｄａｓｅ（登録商標）、Ｐｕｒａｓｔａｒ（登録商標）、Ｏｐｔｉｓｉｚｅ  ＨＴ  Ｐｌｕｓ（登録商標）、Ｅｎｚｙｓｉｚｅ（登録商標）、Ｐｏｗｅｒａｓｅ（登録商標）、およびＰｕｒａｓｔａｒ  Ｏｘａｍ（登録商標）、Ｍａｘａｍｙｌ（登録商標）（Ｇｅｎｅｎｃｏｒ  Ｉｎｔｅｒｎａｔｉｏｎａｌ  Ｉｎｃ．）、ならびにＫＡＭ（登録商標）（花王、日本国）である。好適なアミラーゼは、Ｎａｔａｌａｓｅ（登録商標）、Ｓｔａｉｎｚｙｍｅ（登録商標）、およびＳｔａｉｎｚｙｍｅ  Ｐｌｕｓ（登録商標）である。
【０１１６】
セルラーゼ：本組成物は、セルラーゼを含んでもよい。好適なセルラーゼとしては、細菌または真菌由来のものが挙げられる。化学修飾された、またはタンパク質操作された、ミュータントが含まれる。好適なセルラーゼとしては、バチルス属、シュードモナス（Pseudomonas）属、フミコーラ（Humicola）属、フサリウム属、チエラビア（Thielavia）属、アクレモニウム（Acremonium）属からのセルラーゼ、例えば、フミコーラ・インソレンス（Humicola insolens）、ミセリオフトラ・サーモフィラ（Myceliophthora thermophila）、およびフサリウム・オキシスポラム（Fusarium oxysporum）から生成される真菌セルラーゼが挙げられる。
【０１１７】
市販のセルラーゼとしては、Ｃｅｌｌｕｚｙｍｅ（登録商標）、およびＣａｒｅｚｙｍｅ（登録商標）（Ｎｏｖｏｚｙｍｅｓ  Ａ／Ｓ）、Ｃｌａｚｉｎａｓｅ（登録商標）、およびＰｕｒａｄａｘ  ＨＡ（登録商標）（Ｇｅｎｅｎｃｏｒ  Ｉｎｔｅｒｎａｔｉｏｎａｌ  Ｉｎｃ．）、ならびにＫＡＣ−５００（Ｂ）（登録商標）（花王株式会社）が挙げられる。
【０１１８】
セルラーゼとしては、バチルスｓｐ．ＡＡ３４９のメンバーに対して内因性の細菌性ポリペプチドおよびその混合物を含めた、エンド−ベータ−１，４−グルカナーゼ活性を示す微生物由来のエンドグルカナーゼ（Ｅ．Ｃ．３．２．１．４）を挙げることができる。好適なエンドグルカナーゼは、Ｃｅｌｌｕｃｌｅａｎ（登録商標）およびＷｈｉｔｅｚｙｍｅ（登録商標）（Ｎｏｖｏｚｙｍｅｓ  Ａ／Ｓ、Ｂａｇｓｖａｅｒｄ、デンマーク国）の商品名で販売されている。
【０１１９】
本組成物は、１７ｋＤａ〜３０ｋＤａの分子量を有するＧｌｙｃｏｓｙｌ  Ｈｙｄｒｏｌａｓｅファミリー４５に属する洗浄セルラーゼ、例えば、Ｂｉｏｔｏｕｃｈ（登録商標）ＮＣＤ、ＤＣＣおよびＤＣＬ（ＡＢ  Ｅｎｚｙｍｅｓ、Ｄａｒｍｓｔａｄｔ、独国）の商品名で販売されるエンドグルカナーゼを含んでもよい。
【０１２０】
Ｗｈｉｔｅｚｙｍｅ（登録商標）などの、好適なセルラーゼはまた、キシログルカナーゼ活性を示してもよい。
【０１２１】
リパーゼ。本組成物は、リパーゼを含んでもよい。好適なリパーゼとしては、細菌または真菌由来のものが挙げられる。化学修飾された、またはタンパク質操作された、ミュータントが含まれる。有用なリパーゼの例としては、フミコーラ（別名サーモマイセス（Thermomyces））からの、例えば、Ｈ．ラヌギノーサ（H.lanuginosa）（Ｔ．ｌａｎｕｇｉｎｏｓｕｓ）からの、またはＨ．インソレンスからのリパーゼ、例えば、Ｐ．アルカリゲネス（P.alcaligenes）、またはＰ．シュードアルカリゲネス（P.pseudoalcaligenes）、Ｐ．セパシア（P.cepacia）、Ｐ．スタッツェリ（P.stutzeri）、Ｐ．フルオレッセンス（P.fluorescens）、シュードモナスｓｐ．ＳＤ７０５株、Ｐ．ウィスコンシネンシス（P.wisconsinensis）からの、シュードモナスリパーゼ、例えば、Ｂ．サブチリス、Ｂ．ステアロサーモフィルス、またはＢ．プミルスからのバチルスリパーゼが挙げられる。
【０１２２】
リパーゼは、「第１サイクルのリパーゼ」、任意に、Ｔ２３１ＲおよびＮ２３３Ｒ突然変異体を含む、サーモマイセス・ラヌギノーサス（Thermomyces lanuginosus）由来の野生型リパーゼのバリアントであってもよい。野生型配列は、Ｓｗｉｓｓｐｒｏｔ受入番号Ｓｗｉｓｓ−ＰｒｏｔＯ５９９５２（サーモマイセス・ラヌギノーサス（フミコーラ・ラヌギノーサ）由来）の２６９個アミノ酸（アミノ酸２３〜２９１）である。好適なリパーゼには、Ｎｏｖｏｚｙｍｅｓ、Ｂａｇｓｖａｅｒｄ、デンマーク国よりＬｉｐｅｘ（登録商標）、Ｌｉｐｏｌｅｘ（登録商標）およびＬｉｐｏｃｌｅａｎ（登録商標）という商品名で販売されるものが挙げられる。
【０１２３】
本組成物は、野生型アミノ酸と９０％を超える同一性を有し、Ｔ２３１および／またはＮ２３３、任意にＴ２３１Ｒおよび／またはＮ２３３Ｒにおける置換を含む、サーモマイセス・ラヌギノーサ（Ｏ５９９５２）のバリアントを含んでもよい。
【０１２４】
キシログルカナーゼ：好適なキシログルカナーゼ酵素は、キシログルカンと非晶性セルロース基質の両方に対して酵素活性を有し得る。酵素は、ＧＨファミリー５、１２、４４または７４から選択されるグリコシルヒドロラーゼ（ＧＨ）であってもよい。ＧＨファミリー４４から選択されるグリコシルヒドロラーゼは、特に好適である。ＧＨファミリー４４からの好適なグリコシルヒドロラーゼは、パエニバチルス・ポリザイマ（Paenibacillus polyxyma）（ＡＴＣＣ８３２）およびそのバリアントからのＸＹＧ１００６グリコシルヒドロラーゼである。
【０１２５】
ペクチン酸リアーゼ：好適なペクチン酸リアーゼは、Ｐｅｃｔａｗａｓｈ（登録商標）、Ｐｅｃｔａｗａｙ（登録商標）およびＸ−Ｐｅｃｔ（登録商標）（Ｎｏｖｏｚｙｍｅｓ  Ａ／Ｓ、Ｂａｇｓｖａｅｒｄ、デンマーク国から）の商品名で販売される、バチルス由来ペクチン酸リアーゼの野生型またはバリアント（ＣＡＦ０５４４１、ＡＡＵ２５５６８）のいずれかである。
【０１２６】
マンナナーゼ：好適なマンナナーゼは、Ｍａｎｎａｗａｙ（登録商標）（Ｎｏｖｏｚｙｍｅｓ  Ａ／Ｓ、Ｂａｇｓｖａｅｒｄ、デンマーク国から）、およびＰｕｒａｂｒｉｔｅ（登録商標）（Ｇｅｎｅｎｃｏｒ  Ｉｎｔｅｒｎａｔｉｏｎａｌ  Ｉｎｃ．、Ｐａｌｏ  Ａｌｔｏ、Ｃａｌｉｆｏｒｎｉａ）の商品名で販売されている。
【０１２７】
漂白酵素：好適は漂白酵素としては、オキシドレダクターゼ、例えば、オキシダーゼ（例えば、グルコースオキシダーゼ、コリンオキシダーゼ、または炭水化物オキシダーゼ）、オキシゲナーゼ、カタラーゼ、ペルオキシダーゼ（例えば、ハロ−、クロロ−、ブロモ−、リグニン−、グルコース−、またはマンガン−ペルオキシダーゼ）、ジオキシゲナーゼ、またはラッカーゼ（フェノールオキシダーゼ、ポリフェノールオキシダーゼ）が挙げられる。好適な市販製品は、ＮｏｖｏｚｙｍｅｓからＧｕａｒｄｚｙｍｅ（登録商標）およびＤｅｎｉｌｉｔｅ（登録商標）の商品系列で販売されている。追加の有機化合物、とりわけ芳香族化合物が、漂白酵素とともに組み込まれることが有利であり得；これらの化合物は、漂白酵素と相互作用して、オキシドレダクターゼの活性を増強するか（増強剤）、または典型的には大きく異なる酸化還元電位にわたって酸化酵素と菌株との間の電子流を促進する（メディエータ）。
【０１２８】
他の好適な漂白酵素としては、ペルヒドロラーゼが挙げられ、これは、エステル基質と過酸素源とからの過酸の形成を触媒する。好適なペルヒドロラーゼとしては、Ｍｙｃｏｂａｃｔｅｒｉｕｍ  ｓｍｅｇｍａｔｉｓペルヒドロラーゼのバリアント、いわゆるＣＥ−７ペルヒドロラーゼのバリアント、およびペルヒドラーゼ活性を保有する野生型サブチリシンＣａｒｌｓｂｅｒｇのバリアントが挙げられる。
【０１２９】
クチナーゼ：好適なクチナーゼは、Ｅ．Ｃ．Ｃｌａｓｓ３．１．１．７３によって定義され、任意にフサリウム・ソラニ（Fusarium solani）、シュードモナス・メンドシナ（Pseudomonas Mendocina）またはフミコーラ・インソレンスの一つに由来する野生型と、少なくとも９０％、または９５％、または最大で任意に少なくとも９８％の同一性を示す。
【０１３０】
同一性。２つのアミノ酸配列間の相関性は、「同一性」というパラメータによって表される。本発明においては、２つのアミノ酸配列のアラインメントは、ＥＭＢＯＳＳパッケージ（ｈｔｔｐ：／／ｅｍｂｏｓｓ．ｏｒｇ）バージョン２．８．０からのＮｅｅｄｌｅプログラムを使用することによって決定される。Ｎｅｅｄｌｅプログラムは、Ｎｅｅｄｌｅｍａｎ，Ｓ．Ｂ．ａｎｄ  Ｗｕｎｓｃｈ，Ｃ．Ｄ．（１９７０）Ｊ．Ｍｏｌ．Ｂｉｏｌ．４８，４４３−４５３に記載されたグローバルアラインメントアルゴリズムを実行する。使用される置換マトリックスは、ＢＬＯＳＵＭ６２であり、ギャップ開始ペナルティは１０であり、ギャップ伸長ペナルティは０．５である。
【０１３１】
織物柔軟剤：好適な織物柔軟剤としては、クレー、シリコーン、および／または第四級アンモニウム化合物が挙げられる。好適なクレーとしては、モンモリロナイトクレー、ヘクトライトクレー、および／またはラポナイトクレーが挙げられる。好適なクレーは、モンモリロナイトクレーである。好適なシリコーンとしては、アミノ−シリコーン、および／またはポリジメチルシロキサン（ＰＤＭＳ）が挙げられる。好適な織物柔軟剤は、クレーおよびシリコーンを含む粒子、例えば、モンモリロナイトクレーおよびＰＤＭＳを含む粒子である。
【０１３２】
凝集剤：好適な凝集剤としては、ポリエチレンオキシドが挙げられ；例えば、３００，０００Ｄａ〜９００，０００Ｄａの平均分子量を有する。
【０１３３】
泡抑制剤：好適な泡抑制剤としては、シリコーン、および／または脂肪酸、例えば、ステアリン酸が挙げられる。
【０１３４】
香料：好適な香料としては、香料マイクロカプセル、シッフ塩基香料／ポリマー複合体を含むポリマー補助香料送達システム、デンプン封入香料アコード、香料負荷ゼオライト、ブルーミング香料アコード、およびこれらの任意の組合せが挙げられる。好適な香料マイクロカプセルは、メラミンホルムアルデヒド系であり、典型的にはメラミンホルムアルデヒドを含むシェルにより封入されている香料を含む。このような香料マイクロカプセルが、シェル中にカチオン性材料および／またはカチオン性前駆体材料、例えば、ポリビニルホルムアミド（ＰＶＦ）および／またはカチオン変性ヒドロキシエチルセルロース（ｃａｔＨＥＣ）を含むことは非常に好適であり得る。
【０１３５】
審美剤：好適な審美剤粒子としては、ソープリング、層状審美的粒子、ゲルチン（geltin）ビーズ、炭酸塩および／または硫酸塩スペックル、色土粒子、ならびにこれらの任意の組合せが挙げられる。
【０１３６】
洗濯洗剤粒子を形成する方法：
本発明の洗濯洗剤粒子、または色相付与粒子（hueing particle）を形成する方法の一つは、クレー担体を準備する工程、該担体を回転ドラムまたは他の適切な機械装置に充填する工程を含む。
【０１３７】
次いで、任意に適切な希釈剤と一緒の色相付与剤、または着色剤が、回転ドラム中のクレー担体に添加される。色相付与剤は、材料を容器に添加するための任意の慣用手段を用いてドラムに添加されてもよい。例えば、色相付与剤は、ドラム中に噴霧されてもよい。このようにして、色相付与剤は、クレー担体と接触して、洗濯洗剤粒子、または色相付与粒子を形成する。色相付与剤は、クレー担体上に、および／またはその中に実質的に均一なコーティングを与え得る。得られた色相付与粒子は、０．０１％〜１０％、より好ましくは０．１％〜５％の最終のスペックル上の色負荷を有してもよい。
【０１３８】
次いで、色相付与粒子は乾燥されてもよい。乾燥は、粒状材料の乾燥のために知られる任意の慣用手段によって行われてもよい。
【０１３９】
ここで記載される色相付与粒子を調製する一般的な方法は、本発明の範囲を限定すると解釈されてはならない。代替の処理方法によって、色相付与剤とクレー担体とを組み合わせて、ここで記載される一般的な方法によって、および当業者に知られるとおりのそれらの同等方法によって生成される色相付与粒子として、同様の非ステイニング特性、ならびに他の所望の特徴を示す色相付与粒子を生成させることが可能であるはずである。例えば、クレー担体と色相付与剤とを一工程で一緒に組み合わせることも可能であり得る。
【０１４０】
布地の洗濯方法：布地の洗濯方法は、典型的には、本組成物を水に接触させて、洗浄液を形成する工程、および前記洗浄液中で布地を洗濯するする工程を含み、ここで、典型的には、該洗浄液は、０℃超〜９０℃まで、または６０℃まで、または４０℃まで、または３０℃まで、または２０℃まで、または１０℃まで、またはさらには８℃までの温度を有する。布地は、洗濯洗剤組成物を水と接触させる前に、またはその後に、またはそれと同時に、水に接触させてもよい。本組成物は、前処理用途に使用され得る。
【０１４１】
典型的には、洗浄液は、洗濯洗剤を水に、洗浄液中洗濯洗剤組成物の濃度が、０ｇ／ｌ超〜１０ｇ／ｌまで、または１ｇ／ｌ〜、９ｇ／ｌまで、または８．０ｇ／ｌまで、または７．０ｇ／ｌまで、または６．０ｇ／ｌまで、または４ｇ／ｌまで、またはさらには３．０ｇ／ｌまで、またはさらには２．５ｇ／ｌまでであるような量で、接触させることによって形成される。
【０１４２】
布地の洗濯方法は、トップローディングまたはフロントローディング自動洗濯機で行われてもよいか、または手洗い洗濯用途で使用され得る。これらの用途において、形成される洗浄液、および洗浄液中洗濯洗剤組成物の濃度は、主要な洗浄サイクルのものである。いずれかの任意のすすぎ洗い工程中のいかなる水の投入量も、洗浄液の容量を決定する場合には含まれない。
【０１４３】
洗浄液は、７０リットル以下の水、５５リットル以下の水、４０リットル以下の水、または３０リットル以下、または２０リットル以下、または１０リットル以下、または８リットル以下、またはさらには６リットル以下の水を含んでもよい。洗浄液は、０超〜１５リットル、または２リットル〜、１２リットルまで、またはさらには８リットルまでの水を含んでもよい。
【０１４４】
典型的には、１リットルの洗浄液当たり０．０１ｋｇ〜２ｋｇの布地が、前記洗浄液に投与される。典型的には、１リットルの洗浄液当たり、０．０１ｋｇ〜、または０．０５ｋｇ〜、または０．０７ｋｇ〜、または０．１０ｋｇ〜、または０．１５ｋｇ〜、または０．２０ｋｇ〜、または０．２５ｋｇ〜の布地が、前記洗浄液に投与される。
【０１４５】
任意に、１５０ｇ以下、１００ｇ以下、５０ｇ以下、または４５ｇ以下、または４０ｇ以下、または３５ｇ以下、または３０ｇ以下、または２５ｇ以下、または２０ｇ以下、またはさらには１５ｇ以下、またはさらには１０ｇ以下の本組成物が、水に接触して、洗浄液を形成する。
【０１４６】
［実施例］
例１：好適な顆粒状洗濯洗剤組成物：
【表Ａ−１】
0006013592.tif 000020
【表Ａ−２】
0006013592.tif 000021
【０１４７】
例２：粒子を形成する方法
試料１−０：ナトリウムベントナイト大粒子
試験における基準として受け取ったままのＮａｔｕｒａｌ  Ｓｏｄｉｕｍ  Ｂｅｎｔｏｎｉｔｅ  Ｇｒａｎｕｌａｒ（ＡＭＣＯＬ（登録商標））（典型的には２％ｍａｘ＞１４００μｍ、６０％〜７０％＞４２５μｍ、３％ｍａｘ＜１８０μｍ）を使用した。
【０１４８】
試料１−１：本発明の色相付与剤ナトリウムベントナイト大粒子
染料は、本発明に従う構造を有する色相付与剤である。
【０１４９】
１．９６．２ｇの受け取ったままの天然ナトリウムベントナイト材料（ＡＭＣＯＬ（登録商標）（典型的には２％ｍａｘ＞１４００μｍ、６０％〜７０％＞４２５μｍ、３％ｍａｘ＜１８０μｍ））を、タンブルミキサーのドラム中に入れた。以下に詳述する、再取り込み（re-incorporation）工程を除いて、全手順の間ドラムは回転を続けた。
【０１５０】
２．４．６の色値（color value）を有する本発明の色相付与剤の溶液を３．８０ｇ秤取した。
【０１５１】
３．次いで、ドラムは回転したまま、本発明の色相付与剤の溶液の一部をクレー担体材料の上に噴霧した。
【０１５２】
４．ドラムを止め、壁／バッフルにくっついたあらゆる材料（色相付与剤または固体）をこすり落とし、バルク中に再取り込みし、ミキサーを再びタンブルして、最少の壁残渣で、スプレーオンの第１回分（the 1st tranche）が、担体にわたって均一に塗布されることを確実にした。
【０１５３】
５．次いで、残りの本発明の色相付与剤の溶液をスプレーオンして、工程３および工程４のように、複数回（multiple tranches）で均一に広げた。
【０１５４】
６．次いで、このように作製した色相付与粒子を、開放プラスチックビーカー内に放置して、一晩乾燥させた。（最終水分重量％＝３．９５％）
試料１−２：本発明の色相付与剤ベントナイト小粒子
染料は、本発明に従う構造を有する色相付与剤である。
【０１５５】
１．受け取ったままの天然ナトリウムベントナイト材料（ＡＭＣＯＬ（登録商標））（典型的には２％ｍａｘ＞１４００μｍ、６０％〜７０％＞４２５μｍ、３％ｍａｘ＜１８０μｍ）を、コーヒーグラインダー（Ｂｒａｕｎ）を用いて粉砕して、平均粒径を減少させた。１０６μｍふるいで保持され、２１２μｍふるいを通った、９６．２ｇの得られたナトリウムベントナイト材料をタンブルミキサーのドラム中に入れた。
【０１５６】
２．４．６の色値を有する本発明の色相付与剤の溶液を３．８０ｇ秤取した。
【０１５７】
３．次いで、ドラムは回転したまま、本発明の色相付与剤の溶液の一部をクレー担体材料の上に噴霧した。
【０１５８】
４．ドラムを止め、壁／バッフルにくっついたあらゆる材料（色相付与剤または固体）をこすり落とし、バルク中に再取り込みし、ミキサーを再びタンブルして、最少の壁残渣で、スプレーオンの第１回分が、担体にわたって均一に塗布されることを確実にした。
【０１５９】
５．次いで、残りの本発明の色相付与剤の溶液をスプレーオンして、工程３および工程４のように、複数回で均一に広げた。
【０１６０】
６．次いで、このように作製した色相付与粒子を、開放プラスチックビーカー内に放置して、一晩乾燥させた。（最終水分重量％＝約４％）
試料１−３：本発明の色相付与剤炭酸ナトリウム粒子
染料は、本発明に従う構造を有する色相付与剤である。
【０１６１】
１．９６．２ｇの受け取ったままの炭酸ナトリウム顆粒グレード材料（Ｔａｔａ）を、タンブルミキサーのドラム中に入れた。以下に詳述する、再取り込み工程を除いて、全手順の間ドラムは回転を続けた。
【０１６２】
２．４．６の色値を有する本発明の色相付与剤の溶液を３．８０ｇ秤取した。
【０１６３】
３．次いで、ドラムは回転したまま、本発明の色相付与剤の溶液の一部を炭酸ナトリウム担体材料の上に噴霧した。
【０１６４】
４．ドラムを止め、壁／バッフルにくっついたあらゆる材料（色相付与材料または固体材料）をこすり落とし、バルク中に再取り込みし、ミキサーを再びタンブルして、最少の壁残渣で、スプレーオンの第１回分が、担体にわたって均一に塗布されることを確実にした。
【０１６５】
５．次いで、残りの本発明の色相付与剤の溶液をスプレーオンして、工程３および工程４のように、複数回で均一に広げた。
【０１６６】
６．次いで、このように作製した色相付与粒子を、開放プラスチックビーカー内に放置して、一晩乾燥させた。（最終水分重量％＜１％）
試料１−４  Ｌｉｑｕｉｔｉｎｔ（登録商標）Ｖｉｏｌｅｔ  ＤＤナトリウムベントナイト大粒子
１．８８．６ｇの受け取ったままの天然ナトリウムベントナイト材料（ＡＭＣＯＬ（登録商標））（典型的には２％ｍａｘ＞１４００μｍ、６０％〜７０％＞４２５μｍ、３％ｍａｘ＜１８０μｍ）を、タンブルミキサーのドラム中に入れた。以下に詳述する、再取り込み工程を除いて、全手順の間ドラムは回転を続けた。
【０１６７】
２．４．５の色値を有する、１１．４ｇのＬｉｑｕｉｔｉｎｔ（登録商標）Ｖｉｏｌｅｔ  ＤＤ溶液（Ｍｉｌｌｉｋｅｎ、Ｓｐａｒｔａｎｂｕｒｇ、ＳＣ）を、秤取した。Ｌｉｑｕｉｔｉｎｔ（登録商標）Ｖｉｏｌｅｔ  ＤＤ溶液のこの量が、３．８ｇの本発明の色相付与剤の溶液の強度と一致させるために必要である。この決定は、１Ｌの脱イオン水中１００ｍｇの受け取ったままの材料のＵＶ−可視分光法による５４０ｎｍでの吸光度を測定することによって行った。
【０１６８】
３．次いで、ドラムは回転したまま、Ｌｉｑｕｉｔｉｎｔ（登録商標）Ｖｉｏｌｅｔ  ＤＤ溶液の一部をクレー担体材料の上に噴霧した。
【０１６９】
４．ドラムを止め、壁／バッフルにくっついたあらゆる材料（色相付与材料または固体材料）をこすり落とし、バルク中に再取り込みし、ミキサーを再びタンブルして、最少の壁残渣で、スプレーオンの第１回分が、担体にわたって均一に塗布されることを確実にした。
【０１７０】
５．次いで、残りのＬｉｑｕｉｔｉｎｔ（登録商標）Ｖｉｏｌｅｔ  ＤＤ溶液をスプレーオンして、工程３および工程４のように、複数回で均一に広げた。
【０１７１】
６．次いで、このように作製した色相付与粒子を、開放プラスチックビーカー内に放置して、一晩乾燥させた。（最終水分重量％＝３．９５％）
試料１−５  Ｌｉｑｕｉｔｉｎｔ（登録商標）Ｖｉｏｌｅｔ  ＤＤ炭酸ナトリウム粒子
１．９６．２ｇの受け取ったままの炭酸ナトリウム顆粒グレード材料（Ｔａｔａ）を、タンブルミキサーのドラム中に入れた。以下に詳述する、再取り込み工程を除いて、全手順の間ドラムは回転を続けた。
【０１７２】
２．４．５の色値を有する、１１．４ｇのＬｉｑｕｉｔｉｎｔ（登録商標）Ｖｉｏｌｅｔ  ＤＤ溶液（Ｍｉｌｌｉｋｅｎ、Ｓｐａｒｔａｎｂｕｒｇ、ＳＣ）を、秤取した。Ｌｉｑｕｉｔｉｎｔ（登録商標）Ｖｉｏｌｅｔ  ＤＤ溶液のこの量が、３．８ｇの本発明の色相付与剤の溶液の強度と一致させるために必要である。この決定は、１Ｌの脱イオン水中１００ｍｇの受け取ったままの材料のＵＶ−可視分光法による５４０ｎｍでの吸光度を測定することによって行った。
【０１７３】
３．次いで、ドラムは回転したまま、Ｌｉｑｕｉｔｉｎｔ（登録商標）Ｖｉｏｌｅｔ  ＤＤ溶液の一部を炭酸ナトリウム担体材料の上に噴霧した。
【０１７４】
４．ドラムを止め、壁／バッフルにくっついたあらゆる材料（色相付与材料または固体材料）をこすり落とし、バルク中に再取り込みし、ミキサーを再びタンブルして、最少の壁残渣で、スプレーオンの第１回分が、担体にわたって均一に塗布されることを確実にした。
【０１７５】
５．次いで、残りのＬｉｑｕｉｔｉｎｔ（登録商標）Ｖｉｏｌｅｔ  ＤＤ溶液をスプレーオンして、工程３および工程４のように、複数回で均一に広げた。
【０１７６】
６．次いで、このように作製した色相付与粒子を、開放プラスチックビーカー内に放置して、一晩乾燥させた。（最終水分重量％  ９．５８％）
例３：洗剤組成物中の粒子のスポットステイニング評価
合計で６つの固体粒子状洗濯洗剤組成物を、以下の表に示す基本処方によって試験のために作製した。次いで、色相付与粒子をその組成物に混合した。５つの組成物（試料１−１〜試料１−５）は、１％の種々の色相付与粒子を含有し、一方、試料１−０は、１％の天然ナトリウムベントナイト粒子を含有し、色相付与剤をまったく含まない。
【表１】
0006013592.tif 000022
【０１７７】
各組成物について、３０×３０ｃｍの綿布地見本を、完全に飽和するまで水（２０℃、１．３６ｍＭの水の硬度（３：１  Ｃａ2+：Ｍｇ2+モル比）に浸した。過剰の水を手で絞り取った。各布地見本をホイル底部上に置き、１％の色相付与粒子を含有する３０ｇの最終作製物をその見本上に置き、完全な被覆率を確実にするために広げた。見本を周囲条件で１６時間放置し、清浄水に浸すことによって、過剰の作製物をすすぎ洗い落とした（およそ１０回）。この実験を３回繰り返した。次いで、布地を写真に撮り、熟練した評価者によって視覚的に評価した。各実験からの６つの布地を、染料スポッティング（spotting）の程度の点からランク付けした。最小スポッティングを有する布地には１のスコア、２番目に低いレベルのスポッティングのものには２のスコアなどのようにスコアを付け、最もスポッティングされた（spotted）布地が６のスコアを有するようにした。次いで、結果を３回の反復にわたって平均し、以下の表に報告した。
【表２】
0006013592.tif 000023
【０１７８】
例４  使用中の布地の色相付与沈着評価
合計で６つの固体粒子状洗濯洗剤組成物を、以下の表に示す基本処方で試験のために作製した。次いで、色相付与粒子をこの組成物に混合した。５つの組成物（試料１−１〜試料１−５）は、１％の種々の色相付与粒子を含有し、一方、試料１−０は、１％の天然ナトリウムベントナイト粒子を含有し、色相付与剤をまったく含まない。
【表３】
0006013592.tif 000024
【０１７９】
各組成物を、以下の典型的な条件を用いて、テリータオルおよび編まれた綿布地（Ｅｑｕｅｓｔ）で、Ｔｅｒｇｏｔｏｍｅｔｅｒ  Ａｐｐａｒａｔｕｓ（Ｃｏｐｌｅｙ  Ｍｏｄｅｌ  ８００）模擬洗浄中で実験する：０．８リットルの水中１．６ｇ、２０００ｐｐｍ投与量、２０℃浴温、１．３６ｍＭ（３：１Ｃａ2+：Ｍｇ2+モル比）の水硬度、１５分の洗浄時間）。布地を１回５分間すすぎ洗いし、暗所中周囲条件で乾燥させる。各洗浄ポットには、各種類の３枚の布地が入っており、試験を３回繰返し、結果を平均した。
【０１８０】
Ｄ６５照明、１０°オブザーバを有し、ＵＶフィルタを除外した、Ｈｕｎｔｅｒ  ＬａｂＳｃａｎ  ＸＥ反射分光光度計を用いて、各布地上のＬ*、ａ*、およびｂ*ならびにＷＩ  ＣＩＥ値を測定する。「Ｌ」は、試料中の白色または黒色の量の尺度であり；より高い「Ｌ」値は、より明るい着色試料を示す。試料中の赤色または緑色の量の尺度は、「ａ*」値によって決定される。試料中の青色または黄色の量の尺度は、「ｂ*」値によって決定され；より低い（より負の）ｂ*値は、試料上のより青色を示す。ＷＩ  ＣＩＥは、より大きい白色度を示すより高い数値の白色度の尺度である。以下の表は、各試料対色相無し対照（試料１−０）についてのＷＩ  ＣＩＥの差を示す。
【表４】
0006013592.tif 000025
【０１８１】
結論：
本発明の色相付与剤ベントナイト粒子（試料１−１および試料１−２）は、比較のＬｉｑｕｉｔｉｎｔ（登録商標）Ｖｉｏｌｅｔ  ＤＤベントナイト粒子（試料１−４）よりも小さいスポッティングを示す。本発明の色相付与剤ベントナイト粒子（試料１−１および試料１−２）は、色相付与無し対照（試料１−０）に対してＷＩ  ＣＩＥの統計的に有意な増加、および比較のＬｉｑｕｉｔｉｎｔ（登録商標）Ｖｉｌｏｌｅｔ  ＤＤベントナイト粒子（試料１−４）に対してＷＩ  ＣＩＥ対の統計的に有意な増加を示す。本発明の色相付与剤ベントナイト粒子（試料１−１および試料１−２）はまた、本発明の色相付与剤炭酸塩粒子（試料１−３）およびＬｉｑｕｉｔｉｎｔ（登録商標）Ｖｉｏｌｅｔ  ＤＤ炭酸塩粒子（試料１−５）よりも小さいスポッティングをもたらす。
【０１８２】
例５  様々なベントナイト粉末を含む粒子のステイニング特性
種々の種類のベントナイトクレー粉末を試験して、本発明の色相付与剤のステイニング特性を評価した。クレー粉末としては、部分活性化ベントナイト粉末、および天然ベントナイト粉末が挙げられ；これらの両方ともは、ＡＭＣＯＬにより供給された。「活性化」グレードは、Ｃａ−ベントナイトをソーダ灰で処理することによって得られる。「天然」ベントナイトグレードは、天然Ｎａ−ベントナイトである。
【０１８３】
以下の試験手順を用いて、色相付与粒子を作製した：
１．３０ｇのベントナイト粉末を小型フードプロセッサ中に計量した。
【０１８４】
２．所望の量の色相付与剤、または着色剤を、小ビーカー中に計り分け、７．２ｇの脱イオン水で希釈した。
【０１８５】
３．次いで、着色した溶液を少しずつ粉末中にブレンドした。粉末が塊になり始めたら、試料を乾燥するまで６０℃オーブン中に入れた。次いで、それをフードプロセッサで微粉砕した。最終粉末をＮｏ．２５ふるいに通した。
【０１８６】
４．試験した材料を以下の表にまとめる。
【表Ｂ】
0006013592.tif 000026
【０１８７】
以下の試験手順を用いて、２通りの実験で洗剤の非存在下での色相付与粒子の布地ステイニングを評価した：
１．試験布地片（１００％白色綿布地）を、３６×２４×６ｃｍの寸法を有するプラスチック製タブ中で広げた。布地片は、３６ｃｍの長さおよび２４ｃｍの幅を有するように切断した。
【０１８８】
２．０．５リットルの冷（室温）水道水をタブに加えた。
【０１８９】
３．上記表からの２ｇの色相付与粒子を、試験布地上に一様に振りかけた。
【０１９０】
４．９０分後、布地を冷水道水のタブ中で２回すすぎ洗いし、空気乾燥させた。
【０１９１】
５．布地をいずれの目に見えるステインについても評価した。
【０１９２】
試験結果を以下の表５に示す。
【表５】
0006013592.tif 000027
【０１９３】
試験結果は、等しいかまたはほぼ等しい色負荷について、部分活性化ベントナイト上の本発明の色相付与剤のステイニングが、部分活性化ベントナイトと天然ナトリウムベントナイトとの５０／５０ブレンド上、および天然ナトリウムベントナイト単独上での本発明の色相付与剤のものよりも有意に悪かった。ステイニングの差は、様々な粒子上での染料負荷の小さな差により説明できるよりも、はるかに大きかった。したがって、天然ベントナイトを含有する色相付与粒子を用いて、目に見えるステイニングは非常に小さかった。
【０１９４】
表５の試験結果は、ここで記載される布地試験片および試験方法について、本発明の色相付与剤で着色された天然ベントナイトクレー材料が、本発明の色相付与剤で着色された合成ベントナイトクレー材料よりも小さいステイニングをもたらすことを示すが、本発明の色相付与剤は、天然と合成の両方のクレー材料の着色の際の使用に適することが認められるべきである。合成ベントナイト材料を用いて観察されたステイニングの量は、それを、洗濯洗剤組成物中、または少なくとも１種の色相付与剤の含有が望ましい他の組成物中での使用から排除しない。具体的な材料選択は、それが組み込まれる組成物、およびその最終用途に依存し得る。
【０１９５】
本明細書を通して示されるあらゆる最高数値限定は、あらゆるより低い数値限定を、あたかもこのようなより低い数値限定がここで明示的に書かれているかのように、包含することが理解されるべきである。本明細書を通して示されるあらゆる最低数値限定は、あらゆるより高い数値限定を、あたかもこのようなより高い数値限定がここで明示的に書かれているかのように、包含する。本明細書を通して示されるあらゆる数値範囲は、このようなより広い数値範囲内に入るあらゆるより狭い数値範囲を、あたかもこのようなより狭い数値範囲がここですべて明示的に書かれているかのように、包含する。
【０１９６】
ここで開示される寸法および値は、列挙される正確な数値に厳格に限定されると理解されるべきではない。代わりに、特に断りのない限り、それぞれのこのような寸法は、列挙された値と、その値を取り囲む機能的に均等な範囲との両方を意味することが意図される。例えば、「４０ｍｍ」と開示された寸法は、「約４０ｍｍ」を意味することが意図される。
【０１９７】
相互参照される、または関連している特許または出願のいずれをも含めて、ここで引用されるあらゆる文書は、明示的に排除されないか、または別に限定されない限り、これによってその全体が参照によりここで組み込まれる。いずれの文書の引用も、それが、ここで開示もしくは特許請求されるいずれかの発明に関して従来技術であること、またはそれが、単独で、もしくはいずれの他の参考文献と組み合わせて、いずれかのこのような発明を教示、示唆、または開示することを承認するものではない。さらに、本文書中の用語のいずれかの意味または定義が、参照により組み込まれる文書中の同じ用語のいずれかの意味または定義と矛盾する限りにおいて、本文書中の用語に与えられた意味または定義が統制するものとする。
【０１９８】
本発明の特定の態様を例証および説明してきたが、本発明の精神および範囲から逸脱することなく様々な他の変更および修正を行い得ることが当業者に明らかであろう。したがって、添付の特許請求の範囲において、本発明の範囲内であるこのような変更および修正のすべてを包含することが意図される。
以下に、出願当初の特許請求の範囲に記載された発明を付記する。
［１］
（ａ）色相付与剤と、
（ｂ）クレーと
とを含む粒子であって、前記色相付与剤が、以下の構造：
【化１２】
0006013592.tif 000028
（式中：
Ｒ1およびＲ2は、Ｈ；アルキル；アルコキシ；アルキレンオキシ；アルキルでキャップされたアルキレンオキシ；尿素；およびアミドからなる群から独立して選択され；
Ｒ3は、置換アリール基であり；
Ｘは、スルホンアミド部分ならびに任意にアルキルおよび／またはアリール部分を含む置換基であり、前記置換基は、少なくとも４つのアルキレンオキシ部分の平均モル分布を含む少なくとも１つのアルキレンオキシ鎖を含む）
を有する、粒子。
［２］
前記色相付与剤が、以下の構造：
【化１３】
0006013592.tif 000029
（式中：
Ｒ1およびＲ2は、Ｈ；アルキル；アルコキシ；アルキレンオキシ；アルキルでキャップされたアルキレンオキシ；尿素；およびアミドからなる群から独立して選択され；
Ｕは、水素、置換または無置換アミノ基であり；
Ｗは、アミノ部分ならびに任意にアルキルおよび／またはアリール部分を含む置換基であり、前記置換基は、少なくとも４つのアルキレンオキシ部分の平均モル分布を含む少なくとも１つのアルキレンオキシ鎖を含み；
Ｙは、水素、またはスルホン酸部分であり；
Ｚは、スルホン酸部分、またはアリール基もしくはアルキル基で置換されたアミノ基である）
を有する、［１］に記載の粒子。
［３］
Ｒ1がアルコキシ基であり、Ｒ2がアルキル基である、［２］に記載の粒子。
［４］
Ｒ1が、Ｃ1〜Ｃ10アルコキシであり、Ｒ2が、Ｃ1〜Ｃ10アルキルである、［３］に記載の粒子。
［５］
アルコキシル化芳香族化合物、グリコール、アルコール、６０℃を超える沸点を有する溶媒、およびこれらの混合物から選択される溶媒を含有する、［１］記載の粒子。
［６］
前記溶媒が、アルコキシル化ｍ−トルイジンまたはポリエチレングリコールから選択される、［５］に記載の粒子。
［７］
前記クレーの少なくとも９５重量％が、５０マイクロメートル〜２０００マイクロメートルの範囲の粒径を有する、［１］に記載の粒子。
［８］
前記クレーの少なくとも９５重量％が、５０マイクロメートル〜１５００マイクロメートルの範囲の粒径を有する、［７］に記載の粒子。
［９］
前記クレーの少なくとも９５重量％が、５０マイクロメートル〜１０００マイクロメートルの範囲の粒径を有する、［８］に記載の粒子。
［１０］
前記クレーの少なくとも９５重量％が、５０マイクロメートル〜５００マイクロメートルの範囲の粒径を有する、［９］に記載の粒子。
［１１］
前記クレーの少なくとも９５重量％が、５０マイクロメートル〜３００マイクロメートルの範囲の粒径を有する、［１０］に記載の粒子。
［１２］
前記クレーの少なくとも９５重量％が、５０マイクロメートル〜２００マイクロメートルの範囲の粒径を有する、［１１］に記載の粒子。
［１３］
前記クレーが、スメクタイトクレーを含む、［１］に記載の粒子。
［１４］
前記クレーが、モンモリロナイトクレーを含む、［１］に記載の粒子。
［１５］
前記クレーが、天然モンモリロナイトクレーを含む、［１］に記載の粒子。
［１６］
前記クレーが、ベントナイトクレーを含む、［１］に記載の粒子。
［１７］
前記クレーが、天然ベントナイトクレーを含む、［１］に記載の粒子。
［１８］
（ａ）色相付与剤と、
（ｂ）天然クレーと
を含む粒子であって、前記色相付与剤が、以下の構造：
【化１４】
0006013592.tif 000030
（式中：
Ｒ1およびＲ2は、Ｈ；アルキル；アルコキシ；アルキレンオキシ；アルキルでキャップされたアルキレンオキシ；尿素；およびアミドからなる群から独立して選択され；
Ｒ3は、置換アリール基であり；
Ｘは、スルホンアミド部分ならびに任意にアルキルおよび／またはアリール部分を含む置換基であり、前記置換基は、少なくとも４つのアルキレンオキシ部分の平均モル分布を含む少なくとも１つのアルキレンオキシ鎖を含む）
を有する、粒子。
［１９］
（ａ）色相付与剤と、
（ｂ）天然ベントナイトクレーと
を含む粒子であって、前記色相付与剤が、以下の構造：
【化１５】
0006013592.tif 000031
（式中：
Ｒ1およびＲ2は、Ｈ；アルキル；アルコキシ；アルキレンオキシ；アルキルでキャップされたアルキレンオキシ；尿素；およびアミドからなる群から独立して選択され；
Ｒ3は、置換アリール基であり；
Ｘは、スルホンアミド部分ならびに任意にアルキルおよび／またはアリール部分を含む置換基であり、前記置換基は、少なくとも４つのアルキレンオキシ部分の平均モル分布を含む少なくとも１つのアルキレンオキシ鎖を含む）
を有する、粒子。